(57)【要約】  テレビジョン受像機（１０）は、時刻情報を含んだ主信号に対し、主信号内の時刻情報をＴＭＣＣ信号内の時刻情報に置換する置換処理を施す時刻情報置換処理部（１０４）を備えている。クロック速度制御部（１０８）は、置換処理が施された主信号の時刻情報に基づきクロックを再生する。
2016080043.tif 000002
【特許請求の範囲】
【請求項１】
放送波に重畳され、時刻情報を含んだ主信号およびＴＭＣＣ信号を受信する受信処理部と、
上記ＴＭＣＣ信号および上記主信号を復調する復調処理部と、
上記主信号に対し、上記主信号内の上記時刻情報を上記ＴＭＣＣ信号内の上記時刻情報に置換する置換処理を施す置換処理部と、
上記置換処理が施された上記主信号を出力する出力処理部と、を備えていることを特徴とする受信装置。
【請求項２】
上記主信号内の上記時刻情報、及び、上記ＴＭＣＣ信号内の上記時刻情報は、ＮＴＰサーバにアクセスすることにより得られる時刻情報である、ことを特徴とする請求項１に記載の受信装置。
【請求項３】
上記主信号内の上記時刻情報が、ＴＬＶストリームの先頭のＴＬＶパケットに含まれている、ことを特徴とする請求項１または２に記載の受信装置。
【請求項４】
請求項１から３のいずれか１項に記載の受信装置の各部を備えていることを特徴とする中継装置。
【請求項５】
請求項１から３のいずれか１項に記載の受信装置の各部と、
上記出力処理部が出力した上記主信号の上記時刻情報に基づいてクロックを再生する再生処理部と、を備えていることを特徴とするテレビジョン受像機。
【請求項６】
受信装置による信号処理方法であって、
放送波に重畳され、時刻情報を含んだ主信号およびＴＭＣＣ信号を受信する受信ステップと、
上記ＴＭＣＣ信号および上記主信号を復調する復調ステップと、
上記主信号に対し、上記主信号内の上記時刻情報を上記ＴＭＣＣ信号内の上記時刻情報に置換する置換処理を施す置換処理ステップと、
上記置換処理が施された上記主信号を出力する出力ステップと、を含んでいることを特徴とする信号処理方法。
【請求項７】
放送波に重畳され、時刻情報を含んだ主信号およびＴＭＣＣ信号を受信する受信処理部と、
上記ＴＭＣＣ信号および上記主信号を復調する復調処理部と、
上記ＴＭＣＣ信号の時刻情報を上記ＴＭＣＣ信号に対応する識別値と一緒に出力する出力処理と、上記主信号の時刻情報を上記主信号に対応する識別値と一緒に出力する出力処理とを実行する出力処理部と、を備え、
上記出力処理部は、上記ＴＭＣＣ信号の時刻情報と上記主信号の時刻情報とのうちの一方の時刻情報を出力してから一定時間が経過した後に他方の時刻情報を出力する、ことを特徴とする受信装置。
【請求項８】
上記主信号の上記時刻情報、及び、上記ＴＭＣＣ信号の上記時刻情報は、ＮＴＰサーバにアクセスすることにより得られる時刻情報である、ことを特徴とする請求項７に記載の受信装置。
【請求項９】
上記出力処理部は、上記主信号の時刻情報および上記ＴＭＣＣ信号の時刻情報をＮＴＰパケットに内包する形で出力し、
上記ＴＭＣＣ信号の時刻情報と一緒に出力される識別値は、該時刻情報を内包するＮＴＰパケットに内包される宛先ポート番号であり、
上記主信号の時刻情報と一緒に出力される識別値は、該時刻情報を内包するＮＴＰパケットに内包される、該宛先ポート番号とは異なる宛先ポート番号である、ことを特徴とする請求項８に記載の受信装置。
【請求項１０】
請求項７から９のいずれか１項に記載の受信装置の各部と、
上記ＴＭＣＣ信号の時刻情報と上記主信号の時刻情報とのうちのいずれかを選択する選択部と、
上記選択部が選択した時刻情報に基づいてクロックを再生する再生処理部と、を備えていることを特徴とするテレビジョン受像機。
【請求項１１】
受信装置による信号処理方法であって、
放送波に重畳され、時刻情報を含んだ主信号およびＴＭＣＣ信号を受信する受信処理ステップと、
上記ＴＭＣＣ信号および上記主信号を復調する復調処理ステップと、
上記ＴＭＣＣ信号の時刻情報を上記ＴＭＣＣ信号に対応する識別値と一緒に出力する出力処理と、上記主信号の時刻情報を上記主信号に対応する識別値と一緒に出力する出力処理とを実行する出力処理ステップと、を含み、
上記出力処理ステップにて、上記ＴＭＣＣ信号の時刻情報と上記主信号の時刻情報とのうちの一方の時刻情報を出力してから一定時間が経過した後に他方の時刻情報を出力する、ことを特徴とする信号処理方法。
【請求項１２】
放送波に重畳された主信号およびＴＭＣＣ信号を受信し、フレーム期間毎に各信号から時刻値を取得する取得部と、
上記主信号の時刻値が受信される時点毎にクロックのカウンタを参照する参照部と、
上記時点毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｑの上記時点直後からフレーム期間Ｐの上記時点までの期間における上記カウンタの増分の大きさと比較して、上記クロックの速度を調整する調整部と、を備えていることを特徴とする受信装置。
【請求項１３】
上記主信号の上記時刻値、及び、上記ＴＭＣＣ信号の上記時刻値は、ＮＴＰサーバにアクセスすることにより得られる時刻値である、ことを特徴とする請求項１２に記載の受信装置。
【請求項１４】
上記調整部は、直近で取得されたＴＭＣＣ信号の時刻値と、該時刻値と同じフレーム期間Ｐに取得された主信号の時刻値とが異なる場合には、該ＴＭＣＣ信号の時刻値を選択する、ことを特徴とする請求項１２または１３に記載の受信装置。
【請求項１５】
請求項１２から１４のいずれか１項に記載の受信装置の各部を備えていることを特徴とするテレビジョン受像機。
【請求項１６】
受信装置による信号処理方法であって、
放送波に重畳された主信号およびＴＭＣＣ信号を受信し、フレーム期間毎に各信号から時刻値を取得するステップと、
上記主信号の時刻値が受信される時点毎にクロックのカウンタを参照する参照ステップと、
上記時点毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｑの上記時点直後からフレーム期間Ｐの上記時点までの期間における上記カウンタの増分の大きさと比較して、上記クロックの速度を調整する調整ステップと、を含んでいることを特徴とする信号処理方法。
【発明の詳細な説明】
【技術分野】
【０００１】
本発明は、主に、主信号およびＴＭＣＣ信号を受信する受信装置、中継装置、及び、テレビジョン受像機、並びに、そのような受信装置による信号処理方法に関する。
【背景技術】
【０００２】
デジタル放送におけるＭＭＴによるメディアトランスポート方式においては、放送送出システムからＮＴＰ形式の時刻情報が与えられると、受信機は、与えられた時刻情報に基づいてシステムクロックを再生するようになっている（非特許文献１の「解説4 VCOに基づくNTPクロック同期と提示同期の実現例」参照）。【０００３】
この時刻情報は、ＴＭＣＣ信号（伝送多重制御信号）と主信号との両方に重畳されるようになっている（非特許文献２の「付属  第3章 時刻情報の伝送に関するガイドライン」参照）。ＴＭＣＣ信号はπ／２シフトＢＰＳＫ変調方式で変調され、主信号は、π／２シフトＢＰＳＫ変調方式、ＱＰＳＫ変調方式、８ＰＳＫ変調方式、１６ＡＰＳＫ変調方式、又は、３２ＡＰＳＫ変調方式で変調される（非特許文献２の「3.3 変調信号のフレーム構成」参照）。
【先行技術文献】
【非特許文献】
【０００４】
【非特許文献１】ＡＲＩＢ  ＳＴＤ−Ｂ６０  １．０版，（２０１４年７月発行）  デジタル放送におけるＭＭＴによるメディアトランスポート方式
【非特許文献２】ＡＲＩＢ  ＳＴＤ−Ｂ４４  ２．０版，（２０１４年７月発行）  高度広帯域衛星デジタル放送の伝送方式
【発明の概要】
【発明が解決しようとする課題】
【０００５】
放送送出システムは、主信号を最大伝送レートで伝送する場合には、主信号を３２ＡＰＳＫ変調方式で変調する。即ち、主信号が最大伝送レートで伝送される場合、雑音に対する耐性は、ＴＭＣＣ信号のほうが主信号よりも高いと言える。【０００６】
ところで、近年、デジタル放送番組は、放送伝送路を通じて放送されるだけでなく、通信伝送路を通じてＩＰ再送信されている。ＭＭＴを用いてデジタル放送される番組も、通信伝送路を通じてＩＰ再送信されると考えられる。【０００７】
ＩＰ再送信においては、ＴＭＣＣ信号は送信されない。そのため、ＩＰ再送信に対応した受信機は、ＩＰ再送信された番組を受信している間、ＴＭＣＣ信号よりも雑音に対する耐性が低い主信号の時刻情報に基づいてクロックを再生する。結果として、クロックにジッタが生じやすくなってしまうという問題が生じる。【０００８】
放送伝送路を通じて番組が受信されている間に同様の問題が生じるのを避けるために、放送伝送路を通じて番組が受信されている間、雑音に対する耐性がより高いＴＭＣＣ信号の時刻情報に基づいてクロックが再生されるように、ＩＰ再送信に対応した受信機を設計することも考えられるが、次のような問題がある。【０００９】
即ち、ＩＰ再送信された番組を受信している間と放送伝送路を通じて番組を受信している間とでクロックの再生処理を異ならせる必要があるので、受信機の設計がより複雑になるという問題がある。【００１０】
本発明は、上記課題に鑑みて成されたものであり、その主な目的は、複雑な設計（自装置又は他の装置であるＩＰ再送信に対応した受信装置の設計）を必要とせずに、雑音に起因するジッタの影響を少なくしながら該受信装置がクロックを再生することを可能にする受信装置を実現することにある。
【課題を解決するための手段】
【００１１】
上記の課題を解決するために、本発明の一態様に係る受信装置は、放送波に重畳され、時刻情報を含んだ主信号およびＴＭＣＣ信号を受信する受信処理部と、上記ＴＭＣＣ信号および上記主信号を復調する復調処理部と、上記主信号に対し、上記主信号内の上記時刻情報を上記ＴＭＣＣ信号内の上記時刻情報に置換する置換処理を施す置換処理部と、上記置換処理が施された上記主信号を出力する出力処理部と、を備えている。【００１２】
上記の課題を解決するために、本発明の他の態様に係る信号処理方法は、受信装置による信号処理方法であって、放送波に重畳され、時刻情報を含んだ主信号およびＴＭＣＣ信号を受信する受信ステップと、上記ＴＭＣＣ信号および上記主信号を復調する復調ステップと、上記主信号に対し、上記主信号内の上記時刻情報を上記ＴＭＣＣ信号内の上記時刻情報に置換する置換処理を施す置換処理ステップと、上記置換処理が施された上記主信号を出力する出力ステップと、を含んでいる。
【発明の効果】
【００１３】
本発明の一態様に係る受信装置、および、本発明の他の態様に係る、受信装置による信号処理方法は、複雑な設計（自装置又は他の装置であるＩＰ再送信に対応した受信装置の設計）を必要とせずに、雑音に起因するジッタの影響を少なくしながら該受信装置がクロックを再生することを可能にする、という効果を奏する。
【図面の簡単な説明】
【００１４】
【図１】本発明の実施形態１に係る受信装置（テレビジョン受像機）の要部構成を概略的に示したブロック図である。
【図２】放送送出システムから本発明の実施形態１、２、４、５、７、８に係る受信装置に送信される伝送信号の構成を模式的に示した図である。
【図３】図２の伝送信号に含まれる各フレームの構成を模式的に示した図である。
【図４】実施形態１に係る受信装置の動作を示すフローチャートである。
【図５】実施形態２に係る受信装置（中継装置）の要部構成を概略的に示したブロック図である。
【図６】実施形態２に係る受信装置の動作を示すフローチャートである。
【図７】本発明の実施形態４に係る受信装置（テレビジョン受像機）の要部構成を概略的に示したブロック図である。
【図８】図２の伝送信号に含まれる各フレームの構成を模式的に示した図である。
【図９】受信装置のデマルチプレクサ部が受け取るＮＴＰパケットの構成を模式的に示した図である。
【図１０】実施形態４に係る受信装置の動作を示すフローチャートである。
【図１１】実施形態４に係る受信装置において、デマルチプレクサ部に向けてパケットが送信されるタイミングについて説明するための図である。
【図１２】実施形態５に係る受信装置（テレビジョン受像機）の要部構成を概略的に示したブロック図である。
【図１３】実施形態５に係る受信装置の動作を示すフローチャートである。
【図１４】実施形態５に係る受信装置において、デマルチプレクサ部に向けてパケットが送信されるタイミングについて説明するための図である。
【図１５】本発明の実施形態７および実施形態８に係る受信装置（テレビジョン受像機）の要部構成を概略的に示したブロック図である。
【図１６】実施形態７および実施形態８に係る受信装置における主要部の構成を図１５のブロック図よりも具体的に示したブロック図である。
【図１７】実施形態７および実施形態８に係る受信装置の動作を示すフローチャートである。
【図１８】実施形態７および実施形態８に係る受信装置がクロック速度を調整するための参照するデータを模式的に例示した図である。
【図１９】実施形態８に係る受信装置の別の動作を示すフローチャートである。
【発明を実施するための形態】
【００１５】
〔実施形態１〕
本発明の実施形態１に係る受信装置（テレビジョン受像機）について図１〜図４を参照しながら以下に説明する。
【００１６】
図１は、本実施形態に係るテレビジョン受像機の要部構成を示したブロック図である。図２は、放送送出システムから本実施形態に係るテレビジョン受像機に送信される伝送信号の構成を模式的に示した図である。なお、図２は、実施形態４、７においても参照する。図３は、該伝送信号に含まれる各フレームの構成を模式的に示した図である。図４は、本実施形態に係るテレビジョン受像機の動作を示すフローチャートである。
【００１７】
（本実施形態に係るテレビジョン受像機１０および放送送出システムの概要）
テレビジョン受像機１０は、ＭＭＴ・ＴＬＶ方式に対応しており、放送送出システムによってＭＭＴ・ＴＬＶ方式を用いて送出された番組（高度広帯域衛星デジタル放送の番組）のデータを受信し、受信したデータに基づき番組を再生するように構成されている。
【００１８】
当業者であれば図２から明らかなように、放送送出システムは、主信号の送信に必要な伝送容量に応じた変調方式を、π／２シフトＢＰＳＫ変調方式、ＱＰＳＫ変調方式、８ＰＳＫ変調方式、１６ＡＰＳＫ変調方式、及び、３２ＡＰＳＫ変調方式の中から選択する。具体的には、放送送出システムは、スロットヘッダ、主信号、スタッフビット、及び、誤り訂正符号（ＬＤＰＣ符号パリティ、ＢＣＫ符号パリティ）からなるスロット毎に、変調方式を選択する。
【００１９】
放送送出システムは、このスロットを単位として伝送主信号を生成する。放送送出システムは、各スロットの伝送主信号を、その伝送主信号のスロットについて選択した変調方式で変調する。なお、放送送出システムは、選択した変調方式が８ＰＳＫ変調方式、１６ＡＰＳＫ変調方式、又は、３２ＡＰＳＫ変調方式であるスロットの伝送主信号に対しては、ビットインターリーブを施した上で変調処理を施す。
【００２０】
一方、放送送出システムは、ＴＭＣＣ信号にＬＤＰＣ符号パリティが付加された伝送ＴＭＣＣ信号をπ／２シフトＢＰＳＫ変調方式で変調する。なお、各フレームのＴＭＣＣ信号には、そのフレームを構成する各スロットに関するＴＭＣＣ情報が含まれている。各スロットのＴＭＣＣ情報には、そのスロットについて、キャリア変調方式を示すパラメータ、畳み込み符号化率を示すパラメータ等が含まれている。
【００２１】
そして、放送送出システムは、伝送主信号および伝送ＴＭＣＣ信号が重畳された変調波（伝送信号）を送出する。
【００２２】
放送送出システムから変調波を受信すると、テレビジョン受像機１０は、当該変調波（伝送信号）に含まれているＴＭＣＣ信号および主信号を復調し、主信号に含まれている、映像および音声を同期再生する。
【００２３】
ところで、テレビジョン受像機は、主信号に含まれている映像および音声を適切に同期再生するために、自機のクロックを放送送出システムのクロックに同期させる必要がある。しかしながら、自機のクロックにおけるジッタの発生は同期を妨げてしまう。
【００２４】
本実施形態に係るテレビジョン受像機１０には、伝送信号に対する雑音に起因するジッタがクロックに発生するのを抑えるための処理を行う点に特徴がある。この処理について後に詳細に説明する。
【００２５】
（テレビジョン受像機１０の構成）
図１に示すように、テレビジョン受像機１０は、信号分離部１０１（受信処理部）、ＴＭＣＣ信号復調部１０２（復調処理部）、主信号復調部１０３（復調処理部）、時刻情報置換処理部１０４（置換処理部、出力処理部）、イーサネット（登録商標）部１０５、ＤＥＭＵＸ（デマルチプレクサ）部１０６、イーサネット部１０７、クロック速度制御部１０８（再生処理部）、クロックカウンタ１０９、映像音声デコーダ部１１０、音声出力部１１１、及び、表示部１１２を備えている。
【００２６】
信号分離部１０１、ＴＭＣＣ信号復調部１０２、主信号復調部１０３、及び、時刻情報置換処理部１０４の各々は、１つまたは複数のＬＳＩ（集積回路）を用いて実現されてもよい。また、信号分離部１０１、ＴＭＣＣ信号復調部１０２、主信号復調部１０３、及び、時刻情報置換処理部１０４のうちの任意の組み合わせは、１つのＬＳＩを用いて実現されてもよい。
【００２７】
信号分離部１０１は、放送波に重畳された伝送信号（選局された番組の伝送信号）を受信し、受信した伝送信号（アナログ信号）にＡ／Ｄ変換を施し、マッピングルールに従って、Ａ／Ｄ変換後の伝送信号（デジタル信号）を、変調された状態の伝送主信号、および、変調された状態の伝送ＴＭＣＣ信号に分離する。信号分離部１０１は、マッピングルールに従って、変調されている伝送ＴＭＣＣ信号をＴＭＣＣ信号復調部１０２に供給するとともに、変調されている伝送主信号を主信号復調部１０３に供給する。
【００２８】
ＴＭＣＣ信号復調部１０２は、フレーム同期信号の検出をトリガとして、フレーム毎に以下の処理を行う。
【００２９】
即ち、ＴＭＣＣ信号復調部１０２は、伝送ＴＭＣＣ信号をπ／２シフトＢＰＳＫで復調し、更に、ＴＭＣＣ信号に対して外符号誤り検出訂正処理及び内符号誤り検出訂正処理を施すことによってＴＭＣＣ情報を得る。ＴＭＣＣ信号復調部１０２は、ＴＭＣＣ情報に含まれている、対象フレームの各スロットの伝送主信号の復調に必要な情報（各スロットのキャリア変調方式を示すパラメータや畳み込み符号化率を示すパラメータ）を主信号復調部１０３に供給し、ＴＭＣＣ情報に含まれている時刻情報（ＮＴＰタイムスタンプ）を時刻情報置換処理部１０４に供給する。
【００３０】
主信号復調部１０３は、ＴＭＣＣ信号復調部１０２から上述の情報が供給されたことをトリガとして、以下の処理を行う。
【００３１】
即ち、主信号復調部１０３は、上述の情報に基づいて、対象フレームの各スロットの伝送主信号を復調する。また、主信号復調部１０３は、８ＰＳＫ変調、１６ＡＰＳＫ変調、又は、３２ＡＰＳＫ変調が施されたスロットの伝送主信号に対しては、デインタリーブ処理を施す。更に、主信号復調部１０３は、各スロットの主信号に対して、外符号誤り検出訂正処理及び内符号誤り検出訂正処理を施す。主信号復調部１０３は、誤り検出訂正処理によって、実際に訂正が行われたか否か、及び、訂正によって元の主信号が復元されたか否かに関わらず、これらの処理が施された主信号を時刻情報置換処理部１０４に供給する。
【００３２】
時刻情報置換処理部１０４は、主信号復調部１０３から供給された主信号に対し、主信号内の時刻情報（ＮＴＰタイムスタンプ）をＴＭＣＣ信号内の時刻情報に置換する置換処理を施す。時刻情報置換処理部１０４は、この置換処理が施された主信号を、イーサネット部１０５を介してＤＥＭＵＸ部１０６に供給する。
【００３３】
イーサネット部１０５、１０７は、イーサネット規格に準拠したネットワークアダプタである。
【００３４】
ＤＥＭＵＸ部１０６は、ＬＳＩによって実現され、放送伝送路を通じて送信された主信号、及び、番組のＩＰ再送信のために通信伝送路を通じて送信された主信号に対して、逆多重化処理を施す。即ち、ＤＥＭＵＸ部１０６は、主信号に含まれる映像符号化データおよび音声符号化データを映像音声デコーダ部１１０に供給し、主信号に含まれる時刻情報をクロック速度制御部１０８に供給する。
【００３５】
クロック速度制御部１０８は、ＰＬＬによって実現され、主信号に含まれる時刻情報に基づいてクロックを再生する。
【００３６】
具体的には、ＤＥＭＵＸ部１０６から時刻情報が供給されると、クロック速度制御部１０８は、クロックカウンタ１０９に値がセットされていない場合には該時刻情報をクロックカウンタ１０９にセットし、クロックカウンタ１０９に値がセットされている場合には以下の処理を行う。
【００３７】
即ち、クロック速度制御部１０８は、該時刻情報が表す時刻と１フレーム前にＤＥＭＵＸ部１０６から供給された時刻情報が表す時刻との時刻差と、クロックカウンタ１０９の現在値とクロックカウンタ１０９の１フレーム前の値とのカウント差と、を比較する。クロック速度制御部１０８は、該時刻差のほうが該カウント差より大きい場合には、クロック速度が速くなるようにクロックカウンタ１０９を調整し、該時刻差のほうが該カウント差より小さい場合には、クロック速度が遅くなるようにクロックカウンタ１０９を調整する。
【００３８】
クロックカウンタ１０９は、上記ＰＬＬによって実現され、上記ＰＬＬを構成するＶＣＯ（図示せず）の周波数をカウントする。
【００３９】
なお、クロック速度制御部１０８は、上記ＶＣＯに対して印加する電圧の大きさを調整することで上記ＶＣＯが出力するクロックの周波数を調整する。即ち、クロック速度制御部１０８は、クロック速度が速くなるようにクロックカウンタ１０９を調整する場合には上記ＶＣＯに対して印加する電圧を大きくし、クロック速度が遅くなるようにクロックカウンタ１０９を調整する場合には上記ＶＣＯに対して印加する電圧を小さくする。
【００４０】
映像音声デコーダ部１１０は、クロックカウンタ１０９を参照し、映像符号化データからの映像信号の復号と音声符号化データからの音声信号の復号とを互いに同期させて実行する。
【００４１】
音声出力部１１１は、音声符号化データから復号された音声信号に応じて音声を出力するスピーカである。
【００４２】
表示部１１２は、映像符号化データから復号された映像信号に応じて映像を表示するディスプレイである。
【００４３】
（テレビジョン受像機１０の動作）
次に、テレビジョン受像機１０のクロック調整に係る動作について、図３および図４を参照しながら説明する。
【００４４】
図４に示すように、テレビジョン受像機１０は、ステップＳ１にてフレーム同期信号を受信する度に、ステップＳ２からステップＳ５までの一連の処理を実行する。
【００４５】
即ち、ステップＳ２にて、ＴＭＣＣ信号復調部１０２が対象フレームのＴＭＣＣ信号を復調し、主信号復調部１０３が対象フレームの主信号を復調する。ＴＭＣＣ信号復調部１０２は、ＴＭＣＣ信号内の時刻情報を時刻情報置換処理部１０４に供給する。主信号復調部１０３は、図３の（ａ）に模式的に示すような主信号を時刻情報置換処理部１０４に供給する。
【００４６】
ステップＳ３にて、時刻情報置換処理部１０４は、主信号復調部１０３から供給された主信号に対し、主信号内の時刻情報をＴＭＣＣ信号内の時刻情報に置換する置換処理を施す。
【００４７】
具体的には、時刻情報置換処理部１０４は、対象フレームの先頭のＴＬＶストリーム（図３の例では４０個のスロットから構成されるＴＬＶストリーム）について、該ＴＬＶストリームの先頭のスロットの先頭のＴＬＶパケット（該ＴＬＶストリームの主信号を構成する先頭のＴＬＶパケット）に対して置換処理を施す。
【００４８】
即ち、図３の（ａ）および（ｂ）に示すように、各ＴＬＶストリームの先頭のＴＬＶパケットには固定長のＮＴＰパケットが格納されており、ＮＴＰパケットにはＩＰヘッダ、宛先ポート番号、および、ＮＴＰデータが含まれている。時刻情報置換処理部１０４は、ＴＬＶストリーム＃１、＃２、＃３のすべて、もしくは出力するストリームの先頭のＴＬＶパケットに含まれているＮＴＰパケットのＮＴＰデータの時刻情報をＴＭＣＣ信号内の時刻情報に置換する。
【００４９】
なお、各ＴＬＶストリームの２つ目以降のＴＬＶパケットには、映像符号化データ及び／又は音声符号化データ、並びに、制御情報が含まれている。
【００５０】
ステップＳ４にて、時刻情報置換処理部１０４は、この置換処理が施された主信号（３つのＴＬＶストリーム＃１〜＃３）を、イーサネット部１０５を介してＤＥＭＵＸ部１０６に供給する。
【００５１】
ステップＳ５にて、処理するＴＬＶストリームのうち最初に受け取ったＴＬＶストリームの先頭のＴＬＶパケットを取得すると、ＤＥＭＵＸ部１０６は、ＴＬＶパケットに含まれている時刻情報をクロック速度制御部１０８に供給する。クロック速度制御部１０８は、供給された時刻情報、及び、クロックカウンタ１０９の値に基づき、クロック速度を調整する。
【００５２】
以上、テレビジョン受像機１０のクロック調整に係る動作について説明した。
【００５３】
（テレビジョン受像機１０の利点）
以上の説明から以下のことが言える。
【００５４】
即ち、テレビジョン受像機１０は、放送波に重畳され、時刻情報を含んだ、主信号およびＴＭＣＣ信号を受信する信号分離部１０１（受信処理部）と、上記ＴＭＣＣ信号を復調するＴＭＣＣ信号復調部１０２（復調処理部）と、上記主信号を復調する主信号復調部１０３（復調処理部）と、上記主信号に対し、上記主信号内の上記時刻情報を上記ＴＭＣＣ信号内の上記時刻情報に置換する置換処理を施す時刻情報置換処理部１０４（置換処理部）と、を備えている。
【００５５】
時刻情報置換処理部１０４（出力処理部）は、上記置換処理が施された上記主信号を、イーサネット部１０５を介してＤＥＭＵＸ部１０６に出力する。
【００５６】
上記の構成によれば、テレビジョン受像機１０は、上記主信号内の時刻情報を上記ＴＭＣＣ信号（即ち、雑音に対する耐性がより主信号よりも高い信号）内の上記時刻情報に置換する置換処理を施し、上記置換処理が施された主信号を出力する。
【００５７】
テレビジョン受像機１０は、時刻情報置換処理部１０４によって出力された主信号の時刻情報（雑音の影響を少なくしながら受信した時刻情報）に基づいてクロックを再生する。従って、上記の置換処理が施されていない主信号の時刻情報に基づいてクロックを再生する場合に比べて、テレビジョン受像機１０は、雑音に起因するジッタの影響を少なくしながらクロックを再生できる。
【００５８】
また、ＩＰ再送信に対応したテレビジョン受像機１０は、ＩＰ再送信された番組を受信しながら放送伝送路を通じて番組を受信している間も、主信号の時刻情報に基づいてクロックを再生するように設計されている。
【００５９】
従って、テレビジョン受像機１０は、あまり複雑な設計を必要とせずに、放送伝送路を通じて番組を受信中に雑音に起因するジッタの影響を少なくしながら、クロックを再生できるという効果を奏する。
【００６０】
（実施形態１の付記事項）
本発明の一態様に係る受信装置は、テレビジョン受像機１０に限られず、テレビ放送をリアルタイム再生する機能を備え、テレビジョン受像機１０と同様の特徴を備えた各種機器（フィーチャーフォン、スマートフォン、パーソナルコンピュータ等）の形態でも実施できる。
【００６１】
〔実施形態２〕
以下、更に図５および図６を参照して、本発明の他の実施形態に係る中継装置について説明する。
【００６２】
図５は、本実施形態に係る中継装置の要部構成を示したブロック図である。図６は、本実施形態に係る中継装置の動作を示すフローチャートである。
【００６３】
なお、説明の便宜上、実施形態１にて説明した部材と同じ機能を有する部材については、基本的に、同じ符号を付記した上でその説明を省略する。
【００６４】
（本実施形態に係る中継装置１０ａの概要）
中継装置１０ａは、ＭＭＴ・ＴＬＶ方式に対応しており、実施形態１と同様の放送送出システムによってＭＭＴ・ＴＬＶ方式を用いて送出された番組（高度広帯域衛星デジタル放送の番組）のデータを受信し、受信したデータをＩＰ再送信に対応した受信機器（テレビジョン受像機等）に送信するための装置である。
【００６５】
中継装置１０ａは、テレビジョン受像機１０と同様に、放送送出システムから変調波（伝送信号）を受信すると、伝送信号に含まれているＴＭＣＣ信号および主信号を復調する。
【００６６】
本実施形態に係る中継装置１０ａは、伝送信号に対する雑音に起因するジッタが、ＩＰ再送信に対応した受信機器（テレビジョン受像機等）のクロックに発生するのを抑えるための処理を行う点に特徴がある。この処理について後に詳細に説明する。
【００６７】
（中継装置１０ａの構成）
図５に示すように、中継装置１０ａは、信号分離部１０１（受信処理部）、ＴＭＣＣ信号復調部１０２（復調処理部）、主信号復調部１０３（復調処理部）、時刻情報置換処理部１０４’（置換処理部、出力処理部）、及び、イーサネット部１０７を備えている。
【００６８】
信号分離部１０１、ＴＭＣＣ信号復調部１０２、主信号復調部１０３、及び、時刻情報置換処理部１０４’の各々は、１つまたは複数のＬＳＩ（集積回路）を用いて実現されてもよい。また、信号分離部１０１、ＴＭＣＣ信号復調部１０２、主信号復調部１０３、及び、時刻情報置換処理部１０４’のうちの任意の組み合わせは、１つのＬＳＩを用いて実現されてもよい。
【００６９】
時刻情報置換処理部１０４’は、主信号復調部１０３から供給された主信号に対し、主信号内の時刻情報（ＮＴＰタイムスタンプ）をＴＭＣＣ信号内の時刻情報に置換する置換処理を施す。時刻情報置換処理部１０４’は、この置換処理が施された主信号を、イーサネット部１０７を介してネットワークに送出する。
【００７０】
（中継装置１０ａの動作）
次に、中継装置１０ａの動作について、図３および図６を参照しながら説明する。
【００７１】
図６に示すように、中継装置１０ａは、ステップＳ１１にてフレーム同期信号を受信する度に、ステップＳ１２からステップＳ１４までの一連の処理を実行する。
【００７２】
即ち、ステップＳ１２にて、ＴＭＣＣ信号復調部１０２が対象フレームのＴＭＣＣ信号を復調し、主信号復調部１０３が対象フレームの主信号を復調する。ＴＭＣＣ信号復調部１０２は、ＴＭＣＣ信号内の時刻情報を時刻情報置換処理部１０４’に供給し、主信号復調部１０３は、図３の（ａ）に模式的に示すような主信号を時刻情報置換処理部１０４’に供給する。
【００７３】
ステップＳ１３にて、時刻情報置換処理部１０４’は、実施形態１と同様に、主信号復調部１０３から供給された主信号に対し、主信号内の時刻情報をＴＭＣＣ信号内の時刻情報に置換する置換処理を施す。
【００７４】
ステップＳ１４にて、時刻情報置換処理部１０４’は、この置換処理が施された主信号（３つのＴＬＶストリーム＃１〜＃３）を、イーサネット部１０７を介してＩＰ再送信に対応した受信機器に送信する。
【００７５】
以上、中継装置１０ａの動作について説明した。
【００７６】
（中継装置１０ａの利点）
以上の説明から以下のことが言える。
【００７７】
即ち、中継装置１０ａは、放送波に重畳され、時刻情報を含んだ主信号およびＴＭＣＣ信号を受信する信号分離部１０１（受信処理部）と、上記ＴＭＣＣ信号を復調するＴＭＣＣ信号復調部１０２（復調処理部）と、上記主信号を復調する主信号復調部１０３（復調処理部）と、上記主信号に対し、上記主信号内の上記時刻情報を上記ＴＭＣＣ信号内の上記時刻情報に置換する置換処理を施す時刻情報置換処理部１０４’（置換処理部）と、を備えている。
【００７８】
時刻情報置換処理部１０４’（出力処理部）は、上記置換処理が施された上記主信号を、イーサネット部１０７を介して、ＩＰ再送信に対応した受信装置に出力する。
【００７９】
上記の構成によれば、中継装置１０ａは、主信号内の上記時刻情報を上記ＴＭＣＣ信号（即ち、雑音に対する耐性がより主信号よりも高い信号）内の上記時刻情報に置換する置換処理を施し、上記置換処理が施された主信号を出力する。
【００８０】
中継装置１０ａから主信号を受信した受信装置は、時刻情報置換処理部１０４’によって出力された主信号の時刻情報（雑音の影響を少なくしながら受信した時刻情報）に基づいてクロックを再生する。従って、該受信装置は、上記の置換処理が施されていない主信号の時刻情報に基づいてクロックを再生する場合に比べて、雑音に起因するジッタの影響を少なくしながらクロックを再生できる。
【００８１】
従って、本実施形態の中継装置１０ａは次の効果を奏する。すなわち、中継装置１０ａから番組のデータが送信されるテレビジョン受像機について、公知のＩＰ再送信に対応したテレビジョン受像機への設計変更を必要とせずに、テレビジョン受像機が、通信伝送路を通じた番組の受信中に、雑音に起因するジッタの影響を少なくしながらクロックを再生することができる。
【００８２】
（実施形態１、２の付記事項１）
主信号内の時刻情報およびＴＭＣＣ信号内の時刻情報はＮＴＰサーバにアクセスすることにより得られる時刻情報に限られず、他の種類の時刻情報（例えば、カウンタ値であるＰＣＲ（Program Clock Reference））であってもよい。
【００８３】
（実施形態１、２の付記事項２）
主信号内の時刻情報は、ストリーム毎にそのストリームの先頭のＴＬＶパケットに含まれているのではなく、フレーム毎に、そのフレームの先頭のＴＬＶパケットに含まれていてもよい。
【００８４】
また、主信号内の時刻情報は、フレームまたはストリームの先頭のＴＬＶパケットに含まれていなくてもよいが、フレームまたはストリームの先頭のＴＬＶパケットに含まれていることが好ましい。クロックに対するジッタの影響をより小さくするためである。
【００８５】
（実施形態１、２の付記事項３）
実施形態１、２では、各フレームが１２０個のスロットによって構成されていたが、そのような構成に限定されない。即ち、各フレームのスロット数に特段の制限はなく、例えば、各フレームのスロット数は１〜１２０のうちの任意の数であってもよい。
【００８６】
また、実施形態１、２では、１フレームが３つのストリーム（４０個のスロットからなるストリーム）によって構成されていたが、そのような構成に限定されない。即ち、各フレームは、任意の数のストリームによって構成されていてもよく、例えば、１〜１６のうちの任意の数のストリームによって構成されていてもよい。
【００８７】
〔実施形態３：ソフトウェアによる実現例〕
テレビジョン受像機１０（中継装置１０ａ）のＴＭＣＣ信号復調部１０２、主信号復調部１０３、及び、時刻情報置換処理部１０４（１０４’）は、集積回路（ＩＣチップ）等に形成された論理回路（ハードウェア）によって実現してもよいし、ＣＰＵ（Central Processing Unit）を用いてソフトウェアによって実現してもよい。
【００８８】
後者の場合、テレビジョン受像機１０（中継装置１０ａ）は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８９】
〔まとめ〕
本発明の態様１に係る受信装置（例えば、テレビジョン受像機１０、中継装置１０ａ）は、放送波に重畳され、時刻情報（例えば、ＮＴＰタイムスタンプ）を含んだ主信号およびＴＭＣＣ信号を受信する受信処理部（例えば、信号分離部１０１）と、上記ＴＭＣＣ信号および上記主信号を復調する復調処理部（例えば、ＴＭＣＣ信号復調部１０２および主信号復調部１０３からなる部分）と、上記主信号に対し、上記主信号内の上記時刻情報を上記ＴＭＣＣ信号内の上記時刻情報に置換する置換処理を施す置換処理部（例えば、時刻情報置換処理部１０４、１０４’）と、上記置換処理が施された上記主信号を出力する出力処理部（例えば、時刻情報置換処理部１０４、１０４’）と、を備えている。
【００９０】
上記の構成によれば、上記態様１に係る受信装置は、上記主信号内の上記時刻情報を上記ＴＭＣＣ信号（即ち、雑音に対する耐性がより主信号よりも高い信号）内の上記時刻情報に置換する置換処理が施された主信号を出力する。
【００９１】
ＩＰ再送信に対応した受信装置は、出力された主信号の時刻情報（雑音の影響を少なくしながら上記態様１に係る受信装置が受信した時刻情報）に基づいてクロックを再生するので、雑音に起因するジッタの影響を少なくしながらクロックを再生できる。
【００９２】
また、上記ＩＰ再送信に対応した受信装置は、ＩＰ再送信された番組を受信している間も放送伝送路を通じて番組を受信している間も、主信号の時刻情報に基づいてクロックを再生するように設計することができる。
【００９３】
従って、上記態様１に係る受信装置は、複雑な設計（自装置又は他の装置であるＩＰ再送信に対応した受信装置の設計）を必要とせずに、雑音に起因するジッタの影響を少なくしながら該受信装置がクロックを再生することを可能にする、という効果を奏する。
【００９４】
なお、本発明の態様２に係る受信装置では、上記態様１において、上記主信号内の上記時刻情報、及び、上記ＴＭＣＣ信号内の上記時刻情報は、ＮＴＰサーバにアクセスすることにより得られる時刻情報であってもよい。
【００９５】
本発明の態様３に係る受信装置では、上記態様１または上記態様２において、上記主信号内の上記時刻情報が、ＴＬＶストリームの先頭のＴＬＶパケットに含まれていてもよい。
【００９６】
上記の構成によれば、上記態様３に係る受信装置は、自装置または他の受信装置におけるクロックの再生に関し、該クロックが一層ジッタの影響を受けにくくなる、という更なる効果を奏する。
【００９７】
なお、本発明は、上記態様１から態様３のいずれの態様の受信装置の各部（受信処理部、復調処理部、置換処理部、及び、出力処理部）を備えている、本発明の態様４に係る中継装置（例えば、中継装置１０ａ）としても実現できる。
【００９８】
また、本発明は、上記態様１から態様３のいずれの態様の受信装置の各部（受信処理部、復調処理部、置換処理部、及び、出力処理部）と、上記出力処理部が出力した上記主信号の上記時刻情報に基づいてクロックを再生する再生処理部（例えば、クロック速度制御部１０８）を備えている本発明の態様５に係るテレビジョン受像機（例えば、テレビジョン受像機１０）としても実現できる。
【００９９】
本発明の態様６に係る信号処理方法は、受信装置による信号処理方法であって、放送波に重畳され、時刻情報を含んだ主信号およびＴＭＣＣ信号を受信する受信ステップと、上記ＴＭＣＣ信号および上記主信号を復調する復調ステップと、上記主信号に対し、上記主信号内の上記時刻情報を上記ＴＭＣＣ信号内の上記時刻情報に置換する置換処理を施す置換処理ステップと、上記置換処理が施された上記主信号を出力する出力ステップと、を含んでいる。
【０１００】
上記の構成によれば、上記態様６に係る信号処理方法は、上記態様１に係る受信装置と同様の作用効果を奏する。
【０１０１】
なお、コンピュータを上記態様１に係る受信装置が備える上記復調処理部、上記置換処理部および上記出力処理部として機能させることにより該受信装置をコンピュータにて実現させるプログラム、並びに、それを記録したコンピュータ読み取り可能な記録媒体も、本発明の範疇に入る。
〔関連する実施形態についての説明I〕
以下、関連する実施形態（本説明においては、当該実施形態を「本実施形態」と称する）について説明する。
【０１０２】
〔発明の名称〕受信装置、テレビジョン受像機、及び、信号処理方法
〔技術分野〕
本発明の実施形態は、主に、主信号およびＴＭＣＣ信号を受信する受信装置およびテレビジョン受像機、並びに、そのような受信装置による信号処理方法に関する。
【０１０３】
〔背景技術〕
デジタル放送におけるＭＭＴによるメディアトランスポート方式においては、放送送出システムからＮＴＰ形式の時刻情報が与えられると、受信機は、与えられた時刻情報に基づいてシステムクロックを再生するようになっている（非特許文献１の「解説4 VCOに基づくNTPクロック同期と提示同期の実現例」参照）。
【０１０４】
この時刻情報は、ＴＭＣＣ信号（伝送多重制御信号）と主信号との両方に重畳されるようになっている（非特許文献２の「付属  第3章 時刻情報の伝送に関するガイドライン」参照）。ＴＭＣＣ信号はπ／２シフトＢＰＳＫ変調方式で変調され、主信号は、π／２シフトＢＰＳＫ変調方式、ＱＰＳＫ変調方式、８ＰＳＫ変調方式、１６ＡＰＳＫ変調方式、又は、３２ＡＰＳＫ変調方式で変調される（非特許文献２の「3.3 変調信号のフレーム構成」参照）。
【０１０５】
〔先行技術文献〕
〔非特許文献〕
〔非特許文献１〕ＡＲＩＢ  ＳＴＤ−Ｂ６０  １．０版，（２０１４年７月発行）  デジタル放送におけるＭＭＴによるメディアトランスポート方式
〔非特許文献２〕ＡＲＩＢ  ＳＴＤ−Ｂ４４  ２．０版，（２０１４年７月発行）  高度広帯域衛星デジタル放送の伝送方式
〔発明の概要〕
〔発明が解決しようとする課題〕
放送送出システムは、主信号を低伝送レートで伝送する場合には、主信号をπ／２シフトＢＰＳＫ変調方式で変調する。即ち、主信号が低伝送レートで伝送される場合、雑音に対する耐性は、ＴＭＣＣ信号と主信号とで同程度であると言える。そのため、ＴＭＣＣ信号の時刻情報が雑音の影響を受けることも主信号の時刻情報が雑音の影響を受けることも同程度の頻度で生じると言える。
【０１０６】
ここで、常にＴＭＣＣ信号の時刻情報に基づいてシステムクロックを再生するように設計された受信機、及び、常に主信号の時刻情報に基づいてシステムクロックを再生するように設計された受信機について考える。これらの受信機において、雑音の影響を受けた時刻情報に基づくクロック再生に起因してクロックにジッタが生じる頻度は、十分に低いとは言えない。
【０１０７】
本発明の実施形態は、上記課題に鑑みて成されたものであり、その主な目的は、雑音に起因するジッタの影響を少なくしながらクロックを再生可能な受信装置を実現することにある。
【０１０８】
〔課題を解決するための手段〕
上記の課題を解決するために、本発明の一態様に係る受信装置は、放送波に重畳され、時刻情報を含んだ主信号およびＴＭＣＣ信号を受信する受信処理部と、上記ＴＭＣＣ信号および上記主信号を復調する復調処理部と、上記ＴＭＣＣ信号の時刻情報を上記ＴＭＣＣ信号に対応する識別値と一緒に出力する出力処理と、上記主信号の時刻情報を上記主信号に対応する識別値と一緒に出力する出力処理とを実行する出力処理部と、を備え、上記出力処理部は、上記ＴＭＣＣ信号の時刻情報と上記主信号の時刻情報とのうちの一方の時刻情報を出力してから一定時間が経過した後に他方の時刻情報を出力する。
【０１０９】
上記の課題を解決するために、本発明の一態様に係る信号処理方法は、受信装置による信号処理方法であって、放送波に重畳され、時刻情報を含んだ主信号およびＴＭＣＣ信号を受信する受信処理ステップと、上記ＴＭＣＣ信号および上記主信号を復調する復調処理ステップと、上記ＴＭＣＣ信号の時刻情報を上記ＴＭＣＣ信号に対応する識別値と一緒に出力する出力処理と、上記主信号の時刻情報を上記主信号に対応する識別値と一緒に出力する出力処理とを実行する出力処理ステップと、を含み、上記出力処理ステップにて、上記ＴＭＣＣ信号の時刻情報と上記主信号の時刻情報とのうちの一方の時刻情報を出力してから一定時間が経過した後に他方の時刻情報を出力する。
【０１１０】
〔発明の効果〕
本発明の一態様に係る受信装置は、雑音に起因するジッタの影響を少なくしながらクロックを再生できる、という効果を奏する。
【０１１１】
本発明の一態様に係る信号処理方法は、受信装置が雑音に起因するジッタの影響を少なくしながらクロックを再生することを可能にする、という効果を奏する。
【０１１２】
〔発明を実施するための形態〕
〔実施形態４〕
本発明の実施形態４に係る受信装置（テレビジョン受像機）について図２、図７〜図１１を参照しながら以下に説明する。
【０１１３】
図７は、本実施形態に係るテレビジョン受像機の要部構成を示したブロック図である。図８は、該伝送信号に含まれる各フレームの構成を模式的に示した図である。
【０１１４】
図９は、本実施形態に係るテレビジョン受像機において、デマルチプレクサ部が受け取るＮＴＰパケットの構成を模式的に示した図である。図１０は、本実施形態に係るテレビジョン受像機の動作を示すフローチャートである。図１１は、本実施形態に係るテレビジョン受像機において、デマルチプレクサ部に向けてパケットが送信されるタイミングについて説明するための図である。
【０１１５】
（本実施形態に係るテレビジョン受像機１０および放送送出システムの概要）
テレビジョン受像機１０は、ＭＭＴ・ＴＬＶ方式に対応しており、放送送出システムによってＭＭＴ・ＴＬＶ方式を用いて送出された番組（高度広帯域衛星デジタル放送の番組）のデータを受信し、受信したデータに基づき番組を再生するようになっている。
【０１１６】
当業者であれば図２から明らかなように、放送送出システムは、主信号の送信に必要な伝送容量に応じた変調方式を、π／２シフトＢＰＳＫ変調方式、ＱＰＳＫ変調方式、８ＰＳＫ変調方式、１６ＡＰＳＫ変調方式、及び、３２ＡＰＳＫ変調方式の中から選択する。具体的には、放送送出システムは、スロットヘッダ、主信号、スタッフビット、及び、誤り訂正符号（ＬＤＰＣ符号パリティ、ＢＣＫ符号パリティ）からなるスロット毎に、変調方式を選択する。
【０１１７】
放送送出システムは、このスロットを単位として伝送主信号を生成する。放送送出システムは、各スロットの伝送主信号を、その伝送主信号のスロットについて選択した変調方式で変調する。なお、放送送出システムは、選択した変調方式が８ＰＳＫ変調方式、１６ＡＰＳＫ変調方式、又は、３２ＡＰＳＫ変調方式であるスロットの伝送主信号に対しては、ビットインターリーブを施した上で変調処理を施す。
【０１１８】
一方、放送送出システムは、ＴＭＣＣ信号にＬＤＰＣ符号パリティが付加された伝送ＴＭＣＣ信号をπ／２シフトＢＰＳＫ変調方式で変調する。なお、各フレームのＴＭＣＣ信号には、そのフレームを構成する各スロットに関するＴＭＣＣ情報が含まれている。各スロットのＴＭＣＣ情報には、そのスロットについて、キャリア変調方式を示すパラメータ、畳み込み符号化率を示すパラメータ等が含まれている。
【０１１９】
そして、放送送出システムは、伝送主信号および伝送ＴＭＣＣ信号が重畳された変調波（伝送信号）を送出する。
【０１２０】
テレビジョン受像機１０は、放送送出システムから変調波を受信すると、当該変調波（伝送信号）に含まれている、ＴＭＣＣ信号および主信号を復調し、主信号に含まれている映像および音声を同期再生する。
【０１２１】
ところで、テレビジョン受像機は、主信号に含まれている映像および音声を適切に同期再生するために、自機のクロックを放送送出システムのクロックに同期させる必要があるが、自機のクロックにおけるジッタの発生が同期を妨げてしまう。
【０１２２】
本実施形態に係るテレビジョン受像機１０には、伝送信号に対する雑音に起因するジッタがクロックに発生するのを抑えるための処理を行う点に特徴があるが、この処理について後に詳細に説明する。
【０１２３】
（テレビジョン受像機１０の構成）
図７に示すように、テレビジョン受像機１０は、信号分離部１０１（受信処理部）、ＴＭＣＣ信号復調部１０２（復調処理部）、主信号復調部１０３（復調処理部）、時刻情報出力処理部１０４ａ（出力処理部）、イーサネット（登録商標）部１０５、ＤＥＭＵＸ（デマルチプレクサ）部１０６（選択部）、イーサネット部１０７、クロック速度制御部１０８（再生処理部）、クロックカウンタ１０９、映像音声デコーダ部１１０、音声出力部１１１、及び、表示部１１２を備えている。
【０１２４】
信号分離部１０１、ＴＭＣＣ信号復調部１０２、主信号復調部１０３、及び、時刻情報出力処理部１０４ａの各々は、１つまたは複数のＬＳＩ（集積回路）を用いて実現されてもよい。また、信号分離部１０１、ＴＭＣＣ信号復調部１０２、主信号復調部１０３、及び、時刻情報出力処理部１０４ａのうちの任意の組み合わせは、１つのＬＳＩを用いて実現されてもよい。
【０１２５】
信号分離部１０１は、放送波に重畳された伝送信号（選局された番組の伝送信号）を受信し、受信した伝送信号（アナログ信号）にＡ／Ｄ変換を施し、マッピングルールに従って、Ａ／Ｄ変換後の伝送信号（デジタル信号）を、変調された状態の伝送主信号、および、変調された状態の伝送ＴＭＣＣ信号に分離する。信号分離部１０１は、マッピングルールに従って、変調されている伝送ＴＭＣＣ信号をＴＭＣＣ信号復調部１０２に供給するとともに、変調されている伝送主信号を主信号復調部１０３に供給する。
【０１２６】
ＴＭＣＣ信号復調部１０２は、フレーム同期信号の検出をトリガとして、フレーム毎に以下の処理を行う。
【０１２７】
即ち、ＴＭＣＣ信号復調部１０２は、伝送ＴＭＣＣ信号をπ／２シフトＢＰＳＫで復調し、更に、ＴＭＣＣ信号に対して外符号誤り検出訂正処理及び内符号誤り検出訂正処理を施すことによってＴＭＣＣ情報を得る。ＴＭＣＣ信号復調部１０２は、誤り検出訂正処理によって、実際に訂正が行われたか否か、及び、訂正によって元の主信号が復元されたか否かに関わらず、ＴＭＣＣ情報に含まれている、対象フレームの各スロットの伝送主信号の復調に必要な情報（各スロットのキャリア変調方式を示すパラメータや畳み込み符号化率を示すパラメータ）を主信号復調部１０３に供給し、ＴＭＣＣ情報に含まれている時刻情報（ＮＴＰタイムスタンプ）を時刻情報出力処理部１０４ａに供給する。
【０１２８】
主信号復調部１０３は、ＴＭＣＣ信号復調部１０２から上述の情報が供給されたことをトリガとして、以下の処理を行う。
【０１２９】
即ち、主信号復調部１０３は、上述の情報に基づいて、対象フレームの各スロットの伝送主信号を復調する。また、主信号復調部１０３は、８ＰＳＫ変調、１６ＡＰＳＫ変調、又は、３２ＡＰＳＫ変調が施されたスロットの伝送主信号に対しては、デインタリーブ処理を施す。更に、主信号復調部１０３は、各スロットの主信号に対して、外符号誤り検出訂正処理および内符号誤り検出訂正処理を施す。主信号復調部１０３は、誤り検出訂正処理によって、実際に訂正が行われたか否か、及び、訂正によって元の主信号が復元されたか否かに関わらず、これらの処理が施された主信号を時刻情報出力処理部１０４ａに供給する。
【０１３０】
時刻情報出力処理部１０４ａは、ＴＭＣＣ信号復調部１０２から時刻情報が供給されるとすぐに、図９の（ｂ）に示す、供給された時刻情報と宛先ポート番号“１２４”とを内包するＮＴＰパケットを生成し、生成したＮＴＰパケットを、イーサネット部１０５を介してＤＥＭＵＸ部１０６に供給する。
【０１３１】
時刻情報出力処理部１０４ａは、図９の（ｂ）に示すＮＴＰパケットをＤＥＭＵＸ部１０６に供給してから一定時間（任意の固定時間）が経過した時点で、イーサネット部１０５を介して先頭のＴＬＶパケット（図９の（ａ）に示す、供給された時刻情報と宛先ポート番号“１２３”とを内包するＮＴＰパケット）をＤＥＭＵＸ部１０６に供給する。
【０１３２】
イーサネット部１０５、１０７は、イーサネット規格に準拠したネットワークアダプタである。
【０１３３】
ＤＥＭＵＸ部１０６は、ＬＳＩによって実現され、放送伝送路を通じて送信された主信号に対して、逆多重化処理を施す。即ち、ＤＥＭＵＸ部１０６は、主信号に含まれる映像符号化データおよび音声符号化データを映像音声デコーダ部１１０に供給し、図９の（ｂ）に示すＮＴＰパケットに含まれる時刻情報（ＮＴＰタイムスタンプ）、または、図９の（ａ）に示すＮＴＰパケットに含まれる時刻情報（ＮＴＰタイムスタンプ）をクロック速度制御部１０８に供給する。
【０１３４】
クロック速度制御部１０８は、ＰＬＬによって実現され、主信号に含まれる時刻情報に基づいてクロックを再生する。
【０１３５】
具体的には、クロック速度制御部１０８は、ＤＥＭＵＸ部１０６から時刻情報が供給されると、クロックカウンタ１０９に値がセットされていない場合には該時刻情報をクロックカウンタ１０９にセットし、クロックカウンタ１０９に値がセットされている場合には以下の処理を行う。
【０１３６】
即ち、クロック速度制御部１０８は、該時刻情報が表す時刻と１フレーム前にＤＥＭＵＸ部１０６から供給された時刻情報が表す時刻との時刻差と、クロックカウンタ１０９の現在値とクロックカウンタ１０９の１フレーム前の値とのカウンタ差と、を比較する。クロック速度制御部１０８は、該時刻差のほうが該カウンタ差より大きい場合には、クロック速度が速くなるようにクロックカウンタ１０９を調整し、該時刻差のほうが該カウンタ差より小さい場合には、クロック速度が遅くなるようにクロックカウンタ１０９を調整する。
【０１３７】
クロックカウンタ１０９は、上記ＰＬＬによって実現され、上記ＰＬＬを構成するＶＣＯ（図示せず）の周波数をカウントする。
【０１３８】
なお、クロック速度制御部１０８は、上記ＶＣＯに対して印加する電圧の大きさを調整することで上記ＶＣＯが出力する周波数を調整する。即ち、クロック速度制御部１０８は、クロック速度が速くなるようにクロックカウンタ１０９を調整する場合には上記ＶＣＯに対して印加する電圧を大きくし、クロック速度が遅くなるようにクロックカウンタ１０９を調整する場合には記ＶＣＯに対して印加する電圧を小さくする。
【０１３９】
映像音声デコーダ部１１０は、クロックカウンタ１０９を参照し、映像符号化データからの映像信号の復号と音声符号化データからの音声信号の復号とを同期的に実行する。
【０１４０】
音声出力部１１１は、音声符号化データから復号された音声信号に応じた音声を出力するスピーカである。
【０１４１】
表示部１１２は、映像符号化データから復号された映像信号に応じた映像を表示するディスプレイである。
【０１４２】
（テレビジョン受像機１０の動作）
次に、テレビジョン受像機１０のクロック調整に係る動作について、図９〜図１１を参照しながら説明する。
【０１４３】
図１０に示すように、テレビジョン受像機１０は、ステップＳ２１にてフレーム同期信号を受信する度に、ステップＳ２２からステップＳ２６までの一連の処理を実行する。
【０１４４】
即ち、ステップＳ２２にて、ＴＭＣＣ信号復調部１０２が対象フレームのＴＭＣＣ信号を復調し、主信号復調部１０３が対象フレームの主信号を復調する。
【０１４５】
ステップＳ２２にて、ＴＭＣＣ信号復調部１０２は、ＴＭＣＣ信号内の時刻情報を時刻情報出力処理部１０４ａに供給する。また、主信号復調部１０３は、図８に模式的に示すような主信号を時刻情報出力処理部１０４ａに供給する。
【０１４６】
ステップＳ２３にて、時刻情報出力処理部１０４ａは、ＴＭＣＣ信号復調部１０２から供給された時刻情報を含む図９の（ｂ）のＮＴＰパケットをＤＥＭＵＸ部１０６に供給（出力）する。即ち、時刻情報出力処理部１０４ａは、ＴＭＣＣ信号の時刻情報をＴＭＣＣ信号に対応する識別値“１２４”と一緒に出力する出力処理を行う。
【０１４７】
その後、時刻情報出力処理部１０４ａは、ステップＳ２４にて図９の（ｂ）のＮＴＰパケットを出力してから一定時間が経過したか否かを判定し、該一定時間が経過すると、ステップＳ２５の処理に進む。
【０１４８】
ステップＳ２５にて、時刻情報出力処理部１０４ａは、先頭のストリームの先頭のＴＬＶパケットに含まれているＮＴＰパケット（図９の（ａ）のＮＴＰパケット）をＤＥＭＵＸ部１０６に供給（出力）する。即ち、時刻情報出力処理部１０４ａは、主信号の時刻情報を主信号に対応する識別値“１２３”と一緒に出力する出力処理を行う。具体的には、時刻情報出力処理部１０４ａは、図１０に示すように、ＴＭＣＣ信号の時刻情報を出力してから一定時間が経過した後に主信号の時刻情報を出力する。
【０１４９】
ステップＳ２６にて、時刻情報出力処理部１０４ａは、後続のＴＬＶパケット群を順次ＤＥＭＵＸ部１０６に供給する。
【０１５０】
テレビジョン受像機１０の前段部分（ＴＭＣＣ信号復調部１０２、主信号復調部１０３、及び、時刻情報出力処理部１０４ａ）は、フレーム同期信号を検出する度に、以上のように動作する。
【０１５１】
これに対し、テレビジョン受像機１０の後段部分（ＤＥＭＵＸ部１０６及びクロック速度制御部１０８）は、以下のように動作する。
【０１５２】
本実施形態では、ＤＥＭＵＸ部１０６と時刻情報出力処理部１０４ａとの双方がテレビジョン受像機１０の内部に存在しており、ＤＥＭＵＸ部１０６は、時刻情報出力処理部１０４ａによってＴＭＣＣ信号から作成されたＮＴＰパケットの宛先ポート番号が“１２４”であることを把握している。ＤＥＭＵＸ部１０６は、宛先ポート番号が“１２４”のＮＴＰパケットを取得する度に、ＮＴＰパケットに含まれるＴＭＣＣ信号の時刻情報をクロック速度制御部１０８に供給する。クロック速度制御部１０８は、供給された時刻情報、及び、クロックカウンタ１０９の値に基づき、クロック速度を調整する。
【０１５３】
なお、ＤＥＭＵＸ部１０６は、宛先ポート番号が“１２３”のＮＴＰパケット（一般的なＮＴＰパケット）を取得した場合、該ＮＴＰパケットを無視する。これにより雑音に起因するジッタの影響を少なくしながらクロックを再生できる。
【０１５４】
以上、テレビジョン受像機１０のクロック調整に係る動作について説明した。
【０１５５】
なお、本実施形態は、テレビジョン受像機１０の上記前段部分に相当する受信装置、及び、テレビジョン受像機１０の後段部分に相当し、該受信装置から取得したＮＴＰパケットを処理する再生装置からなるシステムの形態であってもよい。
【０１５６】
この場合の再生装置は、ＤＥＭＵＸ部がＤＥＭＵＸ部１０６と異なっている点を除き、テレビジョン受像機１０の後段部分と同じように構成されている。
【０１５７】
即ち、上記再生装置のＤＥＭＵＸ部は、時刻情報出力処理部１０４ａによってＴＭＣＣ信号から作成されたＮＴＰパケットの宛先ポート番号が“１２４”であることを把握していない点で、ＤＥＭＵＸ部１０６と異なっている。上記再生装置のＤＥＭＵＸ部は、宛先ポート番号が“１２３”のＮＴＰパケット（一般的なＮＴＰパケット）を取得する度に、ＮＴＰパケットに含まれるＴＭＣＣ信号の時刻情報をクロック速度制御部１０８に供給する。クロック速度制御部１０８は、供給された時刻情報、及び、クロックカウンタ１０９の値に基づき、クロック速度を調整する。
【０１５８】
なお、上記再生装置のＤＥＭＵＸ部は、宛先ポート番号が“１２４”のＮＴＰパケットを取得した場合、該ＮＴＰパケットを無視する。したがって、上記再生装置は、宛先ポート番号が“１２４”のＮＴＰパケットの受信による影響を受けることなく、番組を再生することができる。
【０１５９】
（テレビジョン受像機１０の利点）
以上の説明から以下のことが言える。
【０１６０】
テレビジョン受像機１０は、放送波に重畳され、時刻情報を含んだ主信号およびＴＭＣＣ信号を受信する信号分離部１０１（受信処理部）と、上記ＴＭＣＣ信号を復調するＴＭＣＣ信号復調部１０２（復調処理部）と、上記主信号を復調する主信号復調部１０３（復調処理部）と、上記ＴＭＣＣ信号の時刻情報を上記ＴＭＣＣ信号に対応する識別値（宛先ポート番号“１２４”）と一緒に出力する出力処理と、上記主信号の時刻情報を上記主信号に対応する識別値（宛先ポート番号“１２３”）と一緒に出力する出力処理とを実行する時刻情報出力処理部１０４ａ（出力処理部）と、を備えている。
【０１６１】
時刻情報出力処理部１０４ａは、上記ＴＭＣＣ信号の時刻情報と上記主信号の時刻情報とのうちの一方の時刻情報（具体的には、ＴＭＣＣ信号の時刻情報）を出力してから一定時間が経過した後に他方の時刻情報（具体的には、主信号の時刻情報）をＤＥＭＵＸ部１０６に出力する。
【０１６２】
上記の構成によれば、テレビジョン受像機１０は、主信号の時刻情報とＴＭＣＣ信号の時刻情報とのうち、いずれの信号の時刻情報に基づくクロック再生も行うことができる。即ち、テレビジョン受像機１０は、信号の受信状態に応じてより適切な時刻情報（ＴＭＣＣ信号と主信号とのうち雑音の影響が確認されていない信号の時刻情報）に基づくクロックの再生を行うことができる。
【０１６３】
従って、テレビジョン受像機１０は、雑音に起因するジッタの影響を少なくしながらクロックを再生できる、という効果を奏する。
【０１６４】
〔実施形態５〕
以下、更に図１２〜図１４を参照して、本発明の別の実施形態に係るテレビジョン受像機について説明する。
【０１６５】
図１２は、本実施形態に係るテレビジョン受像機の要部構成を示したブロック図である。図１３は、本実施形態に係る受信装置の動作を示すフローチャートである。図１４は、本実施形態に係る受信装置において、デマルチプレクサ部に向けてパケットが送信されるタイミングについて説明するための図である。
【０１６６】
なお、説明の便宜上、実施形態４にて説明した部材と同じ機能を有する部材については、基本的に、同じ符号を付記した上でその説明を省略する。
【０１６７】
（本実施形態に係るテレビジョン受像機１０’の概要）
テレビジョン受像機１０’は、その特徴が実施形態４に係るテレビジョン受像機１０の特徴と類似しているが、時刻情報出力処理部が主信号の時刻情報を出力してから一定時間が経過した後にＴＭＣＣの時刻情報を出力する点で、実施形態４に係るテレビジョン受像機１０と異なっている。
【０１６８】
（テレビジョン受像機１０’の構成）
図１２に示すように、テレビジョン受像機１０’は、信号分離部１０１（受信処理部）、ＴＭＣＣ信号復調部１０２（復調処理部）、主信号復調部１０３（復調処理部）、時刻情報出力処理部１０４ａ’（出力処理部）、イーサネット（登録商標）部１０５、ＤＥＭＵＸ（デマルチプレクサ）部１０６、イーサネット部１０７、クロック速度制御部１０８（再生処理部）、クロックカウンタ１０９、映像音声デコーダ部１１０、音声出力部１１１、及び、表示部１１２を備えている。
【０１６９】
信号分離部１０１、ＴＭＣＣ信号復調部１０２、主信号復調部１０３、及び、時刻情報出力処理部１０４ａ’の各々は、１つまたは複数のＬＳＩ（集積回路）を用いて実現されてもよい。また、信号分離部１０１、ＴＭＣＣ信号復調部１０２、主信号復調部１０３、及び、時刻情報出力処理部１０４ａ’のうちの任意の組み合わせは、１つのＬＳＩを用いて実現されてもよい。
【０１７０】
時刻情報出力処理部１０４ａ’は、主信号復調部１０３から主信号が供給されると、イーサネット部１０５を介して図９の（ａ）のＮＴＰパケットをＤＥＭＵＸ部１０６に供給する。
【０１７１】
時刻情報出力処理部１０４ａ’は、ＴＭＣＣ信号復調部１０２から時刻情報（タイムスタンプ）が供給されると、供給された時刻情報を含むＮＴＰパケット（図９の（ｂ）に示すＮＴＰパケット）を生成する。時刻情報出力処理部１０４ａ’は、生成したＮＴＰパケットを、図９の（ａ）に示すＮＴＰパケットをＤＥＭＵＸ部１０６に供給してから一定時間（任意の固定時間）が経過した時点で、イーサネット部１０５を介してＤＥＭＵＸ部１０６に供給する。
【０１７２】
（テレビジョン受像機１０’の動作）
次に、テレビジョン受像機１０’のクロック調整に係る動作について、図１３及び図１４を参照しながら説明する。
【０１７３】
図１３に示すように、テレビジョン受像機１０’は、ステップＳ３１にてフレーム同期信号を受信する度に、ステップＳ３２からステップＳ３６までの一連の処理を実行する。
【０１７４】
即ち、ステップＳ３２にて、ＴＭＣＣ信号復調部１０２が対象フレームのＴＭＣＣ信号を復調し、主信号復調部１０３が対象フレームの主信号を復調する。
【０１７５】
ステップＳ３２にて、ＴＭＣＣ信号復調部１０２は、ＴＭＣＣ信号内の時刻情報を時刻情報出力処理部１０４ａに供給する。また、主信号復調部１０３は、図８に模式的に示すような主信号を時刻情報出力処理部１０４ａ’に供給する。
【０１７６】
時刻情報出力処理部１０４ａ’は、ステップＳ３３にて、先頭のストリームの先頭のＴＬＶパケットに含まれているＮＴＰパケット（図９の（ａ）のＮＴＰパケット）をＤＥＭＵＸ部１０６に供給（出力）する。即ち、時刻情報出力処理部１０４ａ’は、主信号の時刻情報を主信号に対応する識別値“１２３”と一緒に出力する出力処理を行う。
【０１７７】
その後、時刻情報出力処理部１０４ａ’は、図９の（ａ）のＮＴＰパケットを出力してから一定時間が経過したか否かを判定し（ステップＳ３４）、該一定時間が経過すると、ステップＳ３５の処理に進む。
【０１７８】
ステップＳ３５にて、時刻情報出力処理部１０４ａ’は、ＴＭＣＣ信号復調部１０２から供給された時刻情報を含む図９の（ｂ）のＮＴＰパケットをＤＥＭＵＸ部１０６に供給（出力）する。即ち、時刻情報出力処理部１０４ａ’は、ＴＭＣＣ信号の時刻情報をＴＭＣＣ信号に対応する識別値“１２４”と一緒に出力する出力処理を行う。具体的には、時刻情報出力処理部１０４ａは、図１４に示すように、主信号の時刻情報を出力してから一定時間が経過した後にＴＭＣＣ信号の時刻情報を出力する。
【０１７９】
ステップＳ３６にて、時刻情報出力処理部１０４ａ’は、後続のＴＬＶパケット群を順次ＤＥＭＵＸ部１０６に供給する。
【０１８０】
テレビジョン受像機１０’の前段部分（ＴＭＣＣ信号復調部１０２、主信号復調部１０３、及び、時刻情報出力処理部１０４ａ’）は、フレーム同期信号を検出する度に、以上のように動作する。
【０１８１】
これに対し、テレビジョン受像機１０’の後段部分（ＤＥＭＵＸ部１０６及びクロック速度制御部１０８）は、以下のように動作する。
【０１８２】
本実施形態では、ＤＥＭＵＸ部１０６と時刻情報出力処理部１０４ａ’との双方がテレビジョン受像機１０’の内部に存在しており、ＤＥＭＵＸ部１０６は、時刻情報出力処理部１０４ａ’によってＴＭＣＣ信号から作成されたＮＴＰパケットの宛先ポート番号が“１２４”であることを把握している。ＤＥＭＵＸ部１０６は、宛先ポート番号が“１２４”のＮＴＰパケットを取得する度に、ＮＴＰパケットに含まれるＴＭＣＣ信号の時刻情報をクロック速度制御部１０８に供給する。クロック速度制御部１０８は、供給された時刻情報、及び、クロックカウンタ１０９の値に基づき、クロック速度を調整する。
【０１８３】
なお、ＤＥＭＵＸ部１０６は、宛先ポート番号が“１２３”のＮＴＰパケット（一般的なＮＴＰパケット）を取得した場合、該ＮＴＰパケットを無視する。これにより雑音に起因するジッタの影響を少なくしながらクロックを再生できる。
【０１８４】
以上、テレビジョン受像機１０’のクロック調整に係る動作について説明した。
【０１８５】
なお、本実施形態は、テレビジョン受像機１０’の上記前段部分に相当する受信装置、及び、テレビジョン受像機１０’の後段部分に相当し、該受信装置から取得したＮＴＰパケットを処理する再生装置からなるシステムの形態であってもよい。
【０１８６】
この場合の再生装置は、ＤＥＭＵＸ部がＤＥＭＵＸ部１０６と異なっている点を除き、テレビジョン受像機１０’の後段部分と同じように構成されている。
【０１８７】
即ち、上記再生装置のＤＥＭＵＸ部は、時刻情報出力処理部１０４ａ’によってＴＭＣＣ信号から作成されたＮＴＰパケットの宛先ポート番号が“１２４”であることを把握していない点でＤＥＭＵＸ部１０６と異なっている。上記再生装置のＤＥＭＵＸ部は、宛先ポート番号が“１２３”のＮＴＰパケット（一般的なＮＴＰパケット）を取得する度に、ＮＴＰパケットに含まれるＴＭＣＣ信号の時刻情報をクロック速度制御部１０８に供給する。クロック速度制御部１０８は、供給された時刻情報、及び、クロックカウンタ１０９の値に基づき、クロック速度を調整する。
【０１８８】
なお、上記再生装置のＤＥＭＵＸ部は、宛先ポート番号が“１２４”のＮＴＰパケットを取得した場合、該ＮＴＰパケットを無視する。したがって、上記再生装置は、宛先ポート番号が“１２４”のＮＴＰパケットの受信による影響を受けることなく、番組を再生することができる。
【０１８９】
（テレビジョン受像機１０’の利点）
以上の説明から以下のことが言える。
【０１９０】
テレビジョン受像機１０’は、放送波に重畳され、時刻情報を含んだ主信号およびＴＭＣＣ信号を受信する信号分離部１０１（受信処理部）と、上記ＴＭＣＣ信号を復調するＴＭＣＣ信号復調部１０２（復調処理部）と、上記主信号を復調する主信号復調部１０３（復調処理部）と、上記ＴＭＣＣ信号の時刻情報を上記ＴＭＣＣ信号に対応する識別値（宛先ポート番号“１２４”）と一緒に出力する出力処理と、上記主信号の時刻情報を上記主信号に対応する識別値（宛先ポート番号“１２３”）と一緒に出力する出力処理とを実行する時刻情報出力処理部１０４ａ’（出力処理部）と、を備えている。
【０１９１】
時刻情報出力処理部１０４ａ’は、上記ＴＭＣＣ信号の時刻情報と上記主信号の時刻情報とのうちの一方の時刻情報（具体的には、主信号の時刻情報）を出力してから一定時間が経過した後に他方の時刻情報（具体的には、ＴＭＣＣ信号の時刻情報）をＤＥＭＵＸ部１０６に出力する。
【０１９２】
上記の構成によれば、テレビジョン受像機１０’は、テレビジョン受像機１０と同様の作用効果を奏する。
【０１９３】
（実施形態４、５の付記事項１）
主信号内の時刻情報およびＴＭＣＣ信号内の時刻情報はＮＴＰサーバにアクセスすることにより得られる時刻情報に限られず、他の種類の時刻情報（例えば、カウンタ値であるＰＣＲ（Program Clock Reference））であってもよい。
【０１９４】
（実施形態４、５の付記事項２）
主信号内の時刻情報は、ストリーム毎にそのストリームの先頭のＴＬＶパケットに含まれているのではなく、フレーム毎に、そのフレームの先頭のＴＬＶパケットに含まれていてもよい。
【０１９５】
また、主信号内の時刻情報は、フレームまたはストリームの先頭のＴＬＶパケットに含まれていなくてもよいが、フレームまたはストリームの先頭のＴＬＶパケットに含まれていることが好ましい。クロックに対するジッタの影響をより小さくするためである。
【０１９６】
（実施形態４、５の付記事項３）
実施形態４、５では、各フレームが１２０個のスロットによって構成されていたが、本実施形態はそのような構成に限定されない。即ち、各フレームのスロット数に特段の制限はなく、例えば、各フレームのスロット数は１〜１２０のうちの任意の数であってもよい。
【０１９７】
また、実施形態４、５では、１フレームが３つのストリーム（４０個のスロットからなるストリーム）によって構成されていたが、本実施形態はそのような構成に限定されない。即ち、各フレームは、任意の数のストリームによって構成されていてもよく、例えば、１〜１６のうちの任意の数のストリームによって構成されていてもよい。
【０１９８】
（実施形態４、５の付記事項４）
本実施形態に係る受信装置は、テレビジョン受像機１０’に限られず、テレビ放送をリアルタイム再生する機能を備え、テレビジョン受像機１０’と同様の特徴を備えた各種機器（フィーチャーフォン、スマートフォン、パーソナルコンピュータ等）の形態でも実施できる。
【０１９９】
（実施形態４、５の付記事項５）
実施形態４、５では、ＴＭＣＣ信号の時刻情報を含むＮＴＰパケットの宛先ポート番号を“１２４”とし、主信号の時刻情報を含むＮＴＰパケットの宛先ポート番号を“１２３”とした。言うまでもなく、２つの宛先ポート番号の値は例示に過ぎない。
【０２００】
即ち、２つの宛先ポート番号は互いに異なっていればよく、例えば、ＴＭＣＣ信号の時刻情報を含むＮＴＰパケットの宛先ポート番号を“１２５”とし、主信号の時刻情報を含むＮＴＰパケットの宛先ポート番号を“１２３”としてもよい。
【０２０１】
なお、実施形態４、５では、テレビジョン受像機が、受信した主信号の時刻情報を含むＮＴＰパケットの宛先ポート番号を変更しないものとしたが、本実施形態はこのようなテレビジョン受像機に限定されない。即ち、時刻情報出力処理部は、主信号の時刻情報を含むＮＴＰパケットの宛先ポート番号の存在位置を特定可能であるので、該宛先ポート番号を“１２３”から他の番号（例えば、“１２４”）に置き換えてもよい。そして、時刻情報出力処理部は、主信号の時刻情報を含むＮＴＰパケットとして、宛先ポート番号が該他の番号であるようなＮＴＰパケットを出力し、ＴＭＣＣ信号の時刻情報を含むＮＴＰパケットとして、宛先ポート番号が該他の番号とは異なる番号（例えば、“１２３”）であるようなＮＴＰパケットを出力してもよい。
【０２０２】
〔実施形態６：ソフトウェアによる実現例〕
テレビジョン受像機１０（１０’）のＴＭＣＣ信号復調部１０２、主信号復調部１０３、及び、時刻情報出力処理部１０４ａ（１０４ａ’）は、集積回路（ＩＣチップ）等に形成された論理回路（ハードウェア）によって実現してもよいし、ＣＰＵ（Central ProcessingUnit）を用いてソフトウェアによって実現してもよい。
【０２０３】
後者の場合、テレビジョン受像機１０（１０’）は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２０４】
〔まとめ〕
本発明の態様７に係る受信装置（例えば、テレビジョン受像機１０、１０’、付記事項４の各種機器）は、放送波に重畳され、時刻情報（例えば、ＮＴＰタイムスタンプ）を含んだ主信号およびＴＭＣＣ信号を受信する受信処理部（例えば、信号分離部１０１）と、上記ＴＭＣＣ信号および上記主信号を復調する復調処理部（例えば、ＴＭＣＣ信号復調部１０２および主信号復調部１０３からなる部分）と、上記ＴＭＣＣ信号の時刻情報を上記ＴＭＣＣ信号に対応する識別値と一緒に出力する出力処理と、上記主信号の時刻情報を上記主信号に対応する識別値と一緒に出力する出力処理とを実行する出力処理部（例えば、時刻情報出力処理部１０４ａ、１０４ａ’）と、を備え、上記出力処理部は、上記ＴＭＣＣ信号の時刻情報と上記主信号の時刻情報とのうちの一方の時刻情報を出力してから一定時間が経過した後に他方の時刻情報を出力する。
【０２０５】
上記の構成によれば、上記態様７に係る受信装置は、主信号の時刻情報とＴＭＣＣ信号の時刻情報のうち、いずれの信号の時刻情報に基づくクロック再生も行うことができる。即ち、テレビジョン受像機１０は、信号の受信状況に応じてより適切な時刻情報に基づくクロックの再生を行うことができる。
【０２０６】
従って、テレビジョン受像機１０は、雑音に起因するジッタの影響を少なくしながらクロックを再生できる、という効果を奏する。
【０２０７】
なお、本発明の態様８に係る受信装置では、上記態様７において、上記主信号の上記時刻情報、及び、上記ＴＭＣＣ信号の上記時刻情報は、ＮＴＰサーバにアクセスすることにより得られる時刻情報であってもよい。
【０２０８】
また、本発明の態様９に係る受信装置では、上記態様８において、上記出力処理部は、上記主信号の時刻情報および上記ＴＭＣＣ信号の時刻情報をＮＴＰパケットに内包する形で出力し、上記ＴＭＣＣ信号の時刻情報と一緒に出力される識別値は、該時刻情報を内包するＮＴＰパケットに内包される宛先ポート番号であり、上記主信号の時刻情報と一緒に出力される識別値は、該時刻情報を内包するＮＴＰパケットに内包される、該宛先ポート番号とは異なる宛先ポート番号であってもよい。
【０２０９】
また、本発明は、上記態様７から態様９のいずれの態様の受信装置の各部（受信処理部、復調処理部、及び、出力処理部）と、上記ＴＭＣＣ信号の時刻情報と上記主信号の時刻情報とのうちのいずれかを選択する選択部（例えば、ＤＥＭＵＸ部１０６）と、上記選択部が選択した時刻情報に基づいてクロックを再生する再生処理部（例えば、クロック速度制御部１０８）と、を備えている本発明の態様１０に係るテレビジョン受像機（例えば、テレビジョン受像機１０、１０’）としても実現できる。
【０２１０】
本発明の態様１１に係る信号処理方法は、受信装置による信号処理方法であって、放送波に重畳され、時刻情報を含んだ主信号およびＴＭＣＣ信号を受信する受信処理ステップと、上記ＴＭＣＣ信号および上記主信号を復調する復調処理ステップと、上記ＴＭＣＣ信号の時刻情報を上記ＴＭＣＣ信号に対応する識別値と一緒に出力する出力処理と、上記主信号の時刻情報を上記主信号に対応する識別値と一緒に出力する出力処理とを実行する出力処理ステップと、を含み、上記出力処理ステップにて、上記ＴＭＣＣ信号の時刻情報と上記主信号の時刻情報とのうちの一方の時刻情報を出力してから一定時間が経過した後に他方の時刻情報を出力する。
【０２１１】
上記の構成によれば、上記態様１１に係る信号処理方法は、上記態様７に係る受信装置と同様の作用効果を奏する。
【０２１２】
なお、コンピュータを上記態様７に係る受信装置が備える上記復調処理部および上記出力処理部として機能させることにより該受信装置をコンピュータにて実現させるプログラム、並びに、それを記録したコンピュータ読み取り可能な記録媒体も、本発明の範疇に入る。
〔関連する実施形態についての説明II〕
以下、関連する実施形態（本説明においては、当該実施形態を「本実施形態」と称する）について説明する。
【０２１３】
〔発明の名称〕受信装置、テレビジョン受像機、及び、信号処理方法
〔技術分野〕
本発明の実施形態は、主に、主信号およびＴＭＣＣ信号を受信する受信装置およびテレビジョン受像機、並びに、そのような受信装置による信号処理方法に関する。
【０２１４】
〔背景技術〕
デジタル放送におけるＭＭＴによるメディアトランスポート方式においては、放送送出システムは、外部から与えられたＮＴＰ形式の時刻情報に基づいてシステムクロックを再生するとともに、このシステムクロックの値を示すＮＴＰ形式の時刻情報を送出するようになっている。また、受信機は、放送送出システムから該ＮＴＰ形式の時刻情報が与えられると、与えられた時刻情報に基づいてシステムクロックを再生するようになっている（非特許文献１の「解説4 VCOに基づくNTPクロック同期と提示同期の実現例」参照）。
【０２１５】
この時刻情報は、ＴＭＣＣ信号（伝送多重制御信号）と主信号との両方に重畳されるようになっている（非特許文献２の「付属  第3章 時刻情報の伝送に関するガイドライン」参照）。
【０２１６】
〔先行技術文献〕
〔非特許文献〕
〔非特許文献１〕ＡＲＩＢ  ＳＴＤ−Ｂ６０  １．０版，（２０１４年７月発行）  デジタル放送におけるＭＭＴによるメディアトランスポート方式
〔非特許文献２〕ＡＲＩＢ  ＳＴＤ−Ｂ４４  ２．０版，（２０１４年７月発行）  高度広帯域衛星デジタル放送の伝送方式
〔発明の概要〕
〔発明が解決しようとする課題〕
上記放送送出システムは、ＮＴＰ形式の時刻情報に基づくクロック速度（クロック周波数）の調整と該ＮＴＰ形式の時刻情報の送出とを周期的に行うようになっている。
【０２１７】
従って、上記放送送出システムとの安定的なクロック同期を実現するためには、上記放送送出システムと同じ周期でクロック速度の調整を行うように受信機を動作させる必要がある。
【０２１８】
本発明の実施形態は、上記課題に鑑みて成されたものであり、その主な目的は、放送送出システムとの安定的なクロック同期を実現可能な受信装置を提供することにある。
【０２１９】
〔課題を解決するための手段〕
上記の課題を解決するために、本発明の一態様に係る受信装置は、放送波に重畳された主信号およびＴＭＣＣ信号を受信し、フレーム期間毎に各信号から時刻値を取得する取得部と、
上記主信号の時刻値が受信される時点毎にクロックのカウンタを参照する参照部と、
上記時点毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｑの上記時点直後からフレーム期間Ｐの上記時点までの期間における上記カウンタの増分の大きさと比較して、上記クロックの速度を調整する調整部と、を備えている。
【０２２０】
上記の課題を解決するために、本発明の一態様に係る信号処理方法は、受信装置による信号処理方法であって、放送波に重畳された主信号およびＴＭＣＣ信号を受信し、フレーム期間毎に各信号から時刻値を取得するステップと、上記主信号の時刻値が受信される時点毎にクロックのカウンタを参照する参照ステップと、上記時点毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｑの上記時点直後からフレーム期間Ｐの上記時点までの期間における上記カウンタの増分の大きさと比較して、上記クロックの速度を調整する調整ステップと、を含んでいる。
【０２２１】
〔発明の効果〕
本発明の一態様に係る受信装置は、放送送出システムとの安定的なクロック同期を実現できる、という効果を奏する。
【０２２２】
本発明の一態様に係る信号処理方法は、受信装置における放送送出システムとの安定的なクロック同期を可能にする、という効果を奏する。
【０２２３】
〔発明を実施するための形態〕
〔実施形態７〕
本発明の実施形態７に係る受信装置（テレビジョン受像機）について図２、図１５〜図１８を参照しながら以下に説明する。
【０２２４】
図１５は、本実施形態に係るテレビジョン受像機の要部構成を示したブロック図である。図１６は、本実施形態に係るテレビジョン受像機における主要部の構成を図１５のブロック図よりも具体的に示したブロック図である。
【０２２５】
図１７は、本実施形態に係るテレビジョン受像機の動作を示すフローチャートである。図１８は、本実施形態に係るテレビジョン受像機がクロック速度を調整するための参照するデータを模式的に例示した図である。
【０２２６】
（本実施形態に係るテレビジョン受像機２０および放送送出システムの概要）
テレビジョン受像機２０は、ＭＭＴ・ＴＬＶ方式に対応しており、放送送出システムによってＭＭＴ・ＴＬＶ方式を用いて送出された番組（高度広帯域衛星デジタル放送の番組）のデータを受信し、受信したデータに基づき番組を再生するようになっている。
【０２２７】
当業者であれば図２から明らかなように、放送送出システムは、主信号の送信に必要な伝送容量に応じた変調方式を、π／２シフトＢＰＳＫ変調方式、ＱＰＳＫ変調方式、８ＰＳＫ変調方式、１６ＡＰＳＫ変調方式、及び、３２ＡＰＳＫ変調方式の中から選択する。具体的には、放送送出システムは、スロットヘッダ、主信号、スタッフビット、及び、誤り訂正符号（ＬＤＰＣ符号パリティ、ＢＣＫ符号パリティ）からなるスロット毎に、変調方式を選択する。
【０２２８】
放送送出システムは、このスロットを単位として伝送主信号を生成する。放送送出システムは、各スロットの伝送主信号を、その伝送主信号のスロットについて選択した変調方式で変調する。なお、放送送出システムは、選択した変調方式が８ＰＳＫ変調方式、１６ＡＰＳＫ変調方式、又は、３２ＡＰＳＫ変調方式であるスロットの伝送主信号に対しては、ビットインターリーブを施した上で変調処理を施す。
【０２２９】
一方、放送送出システムは、ＴＭＣＣ信号にＬＤＰＣ符号パリティが付加された伝送ＴＭＣＣ信号をπ／２シフトＢＰＳＫ変調方式で変調する。なお、各フレームのＴＭＣＣ信号には、そのフレームを構成する各スロットに関するＴＭＣＣ情報が含まれており、各スロットのＴＭＣＣ情報には、そのスロットについて、キャリア変調方式を示すパラメータや畳み込み符号化率を示すパラメータ等が含まれている。
【０２３０】
そして、放送送出システムは、伝送主信号および伝送ＴＭＣＣ信号が重畳された変調波（伝送信号）を送出する。
【０２３１】
テレビジョン受像機２０は、放送送出システムから変調波を受信すると、伝送信号に含まれているＴＭＣＣ信号および主信号を復調し、主信号に含まれている映像および音声を同期再生する。
【０２３２】
ところで、テレビジョン受像機は、主信号に含まれている映像および音声を適切に同期再生するために、自機のクロックを放送送出システムのクロックに安定的に同期させる必要があり、そのためには、前述のように、放送送出システムと同じ周期でクロック速度の調整を行うようにテレビジョン受像機を動作させる必要がある。
【０２３３】
本実施形態に係るテレビジョン受像機２０は、放送送出システムと同じ周期でクロック速度を調整するための処理を行う点に特徴があるが、この処理について後に詳細に説明する。
【０２３４】
（テレビジョン受像機２０の構成）
次に、テレビジョン受像機２０の構成について図１５および図１６を参照して説明する。
【０２３５】
図１５に示すように、テレビジョン受像機２０は、信号分離部２０１、ＴＭＣＣ信号復調部２０２（取得処理部）、主信号復調部２０３（取得処理部）、ＤＥＭＵＸ（デマルチプレクサ）部２０４、クロック再生処理部２０５（参照部、調整部）、記憶部２０６、クロックカウンタ２０７、ＶＣＯ部２０８、映像音声デコーダ部２０９、音声出力部２１０、及び、表示部２１１を備えている。
【０２３６】
信号分離部２０１、ＴＭＣＣ信号復調部２０２、及び、主信号復調部２０３の各々は、１つまたは複数のＬＳＩ（集積回路）を用いて実現されてもよい。また、信号分離部２０１、ＴＭＣＣ信号復調部２０２、及び、主信号復調部２０３は、１つのＬＳＩを用いて実現されてもよい。
【０２３７】
信号分離部２０１は、放送波に重畳された伝送信号（選局された番組の伝送信号）を受信し、受信した伝送信号（アナログ信号）にＡ／Ｄ変換を施し、マッピングルールに従って、Ａ／Ｄ変換後の伝送信号（デジタル信号）を、変調された状態の伝送主信号、および、変調された状態の伝送ＴＭＣＣ信号に分離する。信号分離部２０１は、マッピングルールに従って、変調されている伝送ＴＭＣＣ信号をＴＭＣＣ信号復調部２０２に供給するとともに、変調されている伝送主信号を主信号復調部２０３に供給する。
【０２３８】
ＴＭＣＣ信号復調部２０２は、フレーム同期信号の検出をトリガとして、フレーム期間毎に以下の処理を行う。
【０２３９】
即ち、ＴＭＣＣ信号復調部２０２は、伝送ＴＭＣＣ信号をπ／２シフトＢＰＳＫで復調し、更に、ＴＭＣＣ信号に対して外符号誤り検出訂正処理及び内符号誤り検出訂正処理を施すことによってＴＭＣＣ情報および時刻値を取得（復号、復元）する。ＴＭＣＣ信号復調部２０２は、対象フレームの各スロットの伝送主信号の復調に必要な情報（各スロットのキャリア変調方式を示すパラメータや畳み込み符号化率を示すパラメータ）を含むＴＭＣＣ情報を主信号復調部２０３に供給する。また、ＴＭＣＣ信号復調部２０２は、ＴＭＣＣ信号の時刻値（ＮＴＰタイムスタンプ）によって、記憶部２０６に記録されている「最新のＴＭＣＣ信号の時刻値」を更新し、「最新のＴＭＣＣ信号の時刻値」を更新した旨を主信号復調部２０３に通知する。
【０２４０】
主信号復調部２０３は、フレーム同期信号の検出をトリガとして、フレーム期間毎に以下の処理１〜処理３を行う。
（処理１）主信号の時刻値を受信したタイミング（時点）で、クロックカウンタ２０７のカウンタ値をキャプチャ（参照）させるトリガをクロック再生処理部２０５に発行する。（処理２）ＴＭＣＣ信号復調部２０２からＴＭＣＣ情報が供給されると、ＴＭＣＣ情報に基づいて、対象フレームの各スロットの伝送主信号を復調する。また、８ＰＳＫ変調、１６ＡＰＳＫ変調、又は、３２ＡＰＳＫ変調が施されたスロットの伝送主信号に対しては、デインタリーブ処理を施す。また、各スロットの主信号に対して、外符号誤り検出訂正処理および内符号誤り検出訂正処理を施し、これらの処理が施された主信号をＤＥＭＵＸ部２０４に供給する。さらに、主信号から時刻値（ＮＴＰタイムスタンプ）を取得し、取得した時刻値によって、記憶部２０６に記録されている「最新の主信号の時刻値」を更新する。
（処理３）ＴＭＣＣ信号復調部２０２から前述の通知を受けたタイミングで、主信号の時刻値を既に受信したかを確認する。主信号の時刻値を未だ受信していない場合には、現在のフレーム期間において主信号の時刻値を受信したタイミングで、クロック速度を調整させるトリガをクロック再生処理部２０５に発行する。主信号の時刻値を既に受信している場合には、次のフレーム期間において主信号の時刻値を受信したタイミングで、クロック速度を調整させるトリガをクロック再生処理部２０５に発行する。
【０２４１】
ＤＥＭＵＸ部２０４は、ＬＳＩによって実現され、放送伝送路を通じて送信された主信号に対して、逆多重化処理を施す。即ち、ＤＥＭＵＸ部２０４は、主信号に含まれる映像符号化データおよび音声符号化データを映像音声デコーダ部２０９に供給する。
【０２４２】
クロック再生処理部２０５は、ＰＬＬ回路によって実現され、主信号に含まれる時刻値に基づいてクロックを再生する。図１６に示すように、クロック再生処理部２０５は、時刻値比較部２０５１、カウンタ参照部２０５２、及び、クロック速度調整部２０５３を含んでいる。
【０２４３】
時刻値比較部２０５１は、クロック速度を調整させるトリガを受け付ける度に（主信号の時刻値を受信したタイミング毎に）、以下の処理を行う。
【０２４４】
即ち、時刻値比較部２０５１は、「最新のＴＭＣＣ信号の時刻値」と「最新の主信号の時刻値」とを比較する。時刻値比較部２０５１は、両者が同一である場合にはクロック調整の為に参照する時刻値としていずれかの時刻値を選択し、両者が異なる場合にはクロック調整の為に参照する時刻値として「最新のＴＭＣＣ信号の時刻値」を選択した上で、クロック速度を調整させるトリガをクロック速度調整部２０５３に供給する。
【０２４５】
カウンタ参照部２０５２は、クロックカウンタ２０７のカウンタ値をキャプチャ（参照）させるトリガを受け付ける度に（即ち、主信号の時刻値が受信されるタイミング毎に）、クロックカウンタ２０７のカウンタ値をキャプチャ（参照）する。
【０２４６】
クロック速度調整部２０５３は、クロック速度を調整させるトリガを受け付ける度に（主信号の時刻値を受信したタイミング毎に）、２つの時刻値の差の大きさと２つのカウンタ値の差の大きさとを比較し、比較の結果に基づいてクロック速度を調整する。
【０２４７】
ここで、上記２つの時刻値のうちの一方は、時刻値比較部２０５１によって選択された時刻値（ＴＭＣＣ信号復調部２０２によって直近で更新（取得）されたＴＭＣＣ信号の時刻値、又は、主信号復調部２０３によって該時刻値と同じフレーム期間Ｐに取得された主信号の時刻値）である。また、上記２つの時刻値のうちの他方は、フレーム期間Ｐよりも過去のフレーム期間ＱにＴＭＣＣ信号復調部２０２または主信号復調部２０３によって取得され、時刻値比較部２０５１によって過去のフレーム期間に選択された時刻値である。
【０２４８】
また、上記２つのカウンタ値のうちの一方は、フレーム期間Ｐにカウンタ参照部２０５２が参照したカウンタ値であり、上記２つのカウンタ値のうちの他方は、フレーム期間Ｑにカウンタ参照部２０５２が参照したカウンタ値である。
【０２４９】
クロック速度調整部２０５３は、上記２つの時刻値の差の大きさが上記２つのカウンタ値の差の大きさよりも大きい場合には、クロック速度（クロック周波数）が少し速く（高く）なるようにＶＣＯ部２０８を制御し、上記２つの時刻値の差の大きさが上記２つのカウンタ値の差の大きさよりも小さい場合には、クロック速度（クロック周波数）が少し遅く（低く）なるようにＶＣＯ部２０８を制御する。
【０２５０】
即ち、クロック速度調整部２０５３は、テレビジョン受像機２０のクロック速度（クロック周波数）が放送送出システムのクロック速度（クロック周波数）に近づくように、テレビジョン受像機２０のクロック速度（クロック周波数）を調整する。
【０２５１】
なお、本実施形態では、フレーム期間Ｑはフレーム期間Ｐの１フレーム期間前のフレーム期間であるが、フレーム期間Ｑは、フレーム期間ＰのＭフレーム期間前（Ｍ：２以上の任意の整数）のフレーム期間であってもよい。
【０２５２】
記憶部２０６は、各種データが記録される記録媒体（例えば、メモリやディスク等）である。
【０２５３】
クロックカウンタ２０７は、上記ＰＬＬ回路によって実現され、ＶＣＯ部２０８のクロック信号の電気振動の回数をカウントする。
【０２５４】
ＶＣＯ部（電圧制御発振器）２０８は、上記ＰＬＬ回路によって実現され、入力電圧に応じた発振周波数のクロック信号を出力する。
【０２５５】
映像音声デコーダ部２０９は、クロックカウンタ２０７を参照し、映像符号化データからの映像信号の復号と音声符号化データからの音声信号の復号とを同期的に実行する。
【０２５６】
音声出力部２１０は、音声符号化データから復号された音声信号に応じた音声を出力するスピーカである。
【０２５７】
表示部２１１は、映像符号化データから復号された映像信号に応じた映像を表示するディスプレイである。
【０２５８】
（テレビジョン受像機２０の動作）
次に、テレビジョン受像機２０のクロック調整に係る動作について、図１７および図１８を参照しながら説明する。
【０２５９】
図１７に示すように、テレビジョン受像機２０は、ステップＳ４１にてフレーム同期信号を検出する度に、ステップＳ４２からステップＳ５４までの一連の処理を実行する。
【０２６０】
即ち、ステップＳ４１の後、テレビジョン受像機２０は、ステップＳ４２からステップＳ４３までの一連の処理とステップＳ４４からステップＳ５４までの一連の処理とを並列的に実行する。
【０２６１】
主信号復調部２０３は、ステップＳ４２にて主信号の時刻値を受信するのを待ち、主信号の時刻値を受信した時点で、クロックカウンタ２０７のカウンタ値をキャプチャさせるトリガをクロック再生処理部２０５に発行する。トリガを受け取ったクロック再生処理部２０５は、ステップＳ４３にて、クロックカウンタ２０７のカウンタ値をキャプチャし、キャプチャしたカウンタ値を記憶部２０６に記録する。
【０２６２】
一方、ステップＳ４４にて、ＴＭＣＣ信号復調部２０２は、対象フレームのＴＭＣＣ信号の復調を開始する。
【０２６３】
ステップＳ４４の後、テレビジョン受像機２０は、ステップＳ４５からステップＳ４８までの一連の処理とステップＳ４９からステップＳ５４までの一連の処理とを並列的に実行する。
【０２６４】
ステップＳ４５では、ＴＭＣＣ信号復調部２０２は、ＴＭＣＣ信号からＴＭＣＣ情報を取得する。ＴＭＣＣ信号復調部２０２は、取得したＴＭＣＣ情報を主信号復調部２０３に供給する。ステップＳ４５の後、ステップＳ４６では、主信号復調部２０３は、ＴＭＣＣ信号復調部２０２から供給されたＴＭＣＣ情報を用いて、対象フレームの主信号の復調を開始する。
【０２６５】
ステップＳ４６の後、ステップＳ４７では、主信号復調部２０３は、主信号から時刻値を取得（抽出）する。なお、ステップＳ４７は、ステップＳ４６の時点で主信号の時刻値を受信済の場合にはステップＳ４６の直後に実行され、ステップＳ４６の時点で主信号の時刻値を未受信の場合には主信号の時刻値を受信した直後に実行される。ステップＳ４７の後、ステップＳ４８では、ＴＭＣＣ信号復調部２０２は、取得した時刻値によって、記憶部２０６に記録されている「最新の主信号の時刻値」を更新する。
【０２６６】
一方、ステップＳ４９では、ＴＭＣＣ信号復調部２０２は、ＴＭＣＣ信号から時刻値を取得（抽出）する。ステップＳ４９の後、ステップＳ５０では、ＴＭＣＣ信号復調部２０２は、取得した時刻値によって、記憶部２０６に記録されている「最新のＴＭＣＣ信号の時刻値」を更新する。ＴＭＣＣ信号復調部２０２は、「最新のＴＭＣＣ信号の時刻値」を更新した旨を主信号復調部２０３に通知する。
【０２６７】
ステップＳ５０の直後のステップＳ５１では、ＴＭＣＣ信号復調部２０２からの通知を受けた主信号復調部２０３は、主信号の時刻値を受信済であるか否かを判定する。主信号復調部２０３は、主信号の時刻値を受信済であると判定した場合にはすぐにステップＳ５２に進み、主信号の時刻値を未受信であると判定した場合には、主信号の時刻値を受信するまでステップＳ５１を継続する（主信号の時刻値を受信した時点でステップＳ５２に進む）。
【０２６８】
ステップＳ５１の後、ステップＳ５２では、主信号復調部２０３は、主信号の時刻値を受信したタイミングが「最新のＴＭＣＣ信号の時刻値」が更新されたタイミングよりも遅いか否かを判定する。主信号復調部２０３は、ステップＳ５２にて、主信号の時刻値を受信したタイミングが「最新のＴＭＣＣ信号の時刻値」が更新されたタイミングよりも早いと判定した場合（即ち、ステップＳ５０の直後のステップＳ５１にて主信号の時刻値を受信済であると判定した場合）にはステップＳ５３に進む。
【０２６９】
主信号復調部２０３は、次のフレーム期間において主信号の時刻値を受信するまでステップＳ５３を継続し、該時刻値を受信するとすぐに、クロック速度を調整させるトリガをクロック再生処理部２０５に発行する。トリガを受け付けたクロック再生処理部２０５は、すぐにステップＳ５４を実行する。ステップＳ５４については後述する。
【０２７０】
一方、主信号復調部２０３は、ステップＳ５２にて、主信号の時刻値を受信したタイミングが「最新のＴＭＣＣ信号の時刻値」が更新されたタイミングよりも遅いと判定した場合（即ち、ステップＳ５０の直後のステップＳ５１にて主信号の時刻値を未受信であると判定した場合）には、クロック速度を調整させるトリガをすぐにクロック再生処理部２０５に発行する。トリガを受け付けたクロック再生処理部２０５は、すぐにステップＳ５４を実行する。
【０２７１】
ステップＳ５４では、クロック再生処理部２０５は、クロック速度の調整を行う。
【０２７２】
具体的には、時刻値比較部２０５１が、フレーム期間Ｐ（対象フレームに対応するフレーム期間）に取得された「最新のＴＭＣＣ信号の時刻値」とフレーム期間Ｐに取得された「最新の主信号の時刻値」とを比較する。時刻値比較部２０５１は、比較した結果に基づいていずれかの時刻値を選択するとともに、クロック速度を調整させるトリガをクロック速度調整部２０５３に供給する。
【０２７３】
そして、クロック速度調整部２０５３は、現在のステップＳ５４で時刻値比較部２０５１によって選択された時刻値と、フレーム期間Ｑに取得され、過去のステップＳ５４で選択された時刻値との差を算出する。
【０２７４】
即ち、クロック速度調整部２０５３は、ステップＳ５４の直前のステップがステップＳ５２である場合、例えば、前者の時刻値である“8400000”と後者の時刻値である“5700000”との差“2700000”を算出する（図１８の（ａ））。また、クロック速度調整部２０５３は、ステップＳ５４の直前のステップがステップＳ５３である場合、例えば、前者の時刻値である“8400000”と後者の時刻値である“5699000”との差“2701000”を算出する（図１８の（ｂ））。
【０２７５】
さらに、クロック速度調整部２０５３は、フレーム期間Ｐにキャプチャ（参照）されたカウンタ値とフレーム期間Ｑにキャプチャ（参照）されたカウンタ値との差を算出する。
【０２７６】
即ち、クロック速度調整部２０５３は、ステップＳ５４の直前のステップがステップＳ５２である場合、例えば、前者のカウンタ値である“8399500”と後者の時刻値である“5699000”との差“2700500”を算出する（図１８の（ａ））。また、クロック速度調整部２０５３は、ステップＳ５４の直前のステップがステップＳ５３である場合、例えば、前者の時刻値である“8399500”と後者の時刻値である“5700000”との差“2699500”を算出する（図１８の（ｂ））。
【０２７７】
そして、クロック速度調整部２０５３は、上記２つの時刻値の差の大きさと２つのカウンタ値の差の大きさとを比較し、比較の結果に基づいてクロックの速度を調整する。
【０２７８】
例えば、図１８の（ａ）に示したケースのように上記２つの時刻値の差の大きさが２つのカウンタ値の差の大きさよりも小さい場合、クロック速度調整部２０５３は、クロック速度が遅くなるようにＶＣＯ部２０８への入力電圧の大きさを調整する。また、例えば、図１８の（ｂ）に示したケースのように上記２つの時刻値の差の大きさが２つのカウンタ値の差の大きさよりも大きい場合、クロック速度調整部２０５３は、クロック速度が速くなるようにＶＣＯ部２０８への入力電圧の大きさを調整する。
【０２７９】
以上、テレビジョン受像機２０のクロック調整に係る動作について説明した。
【０２８０】
（テレビジョン受像機２０の利点）
以上の説明から以下のことが言える。
【０２８１】
テレビジョン受像機２０のＴＭＣＣ信号復調部２０２および主信号復調部２０３からなる部分（取得部）は、放送波に重畳された主信号およびＴＭＣＣ信号を受信し、フレーム期間毎に各信号から時刻値を取得する。
【０２８２】
テレビジョン受像機２０のカウンタ参照部２０５２（参照部）は、上記主信号の時刻値が受信されるタイミング毎にクロックのカウンタを参照する。
【０２８３】
テレビジョン受像機２０の時刻値比較部２０５１およびクロック速度調整部２０５３からなる部分（調整部）は、上記タイミング毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｐでの上記タイミングの直後からフレーム期間Ｑの上記タイミングまでの期間における上記カウンタの増分の大きさ（具体的には、フレーム期間Ｐに参照されたカウンタとフレーム期間Ｑに参照されたカウンタとの差の大きさ）と比較して、比較結果に基づいて上記クロックの速度を調整する。
【０２８４】
上記の構成によれば、テレビジョン受像機２０は、主信号の時刻値が受信されるタイミング毎にクロックの速度を調整する。即ち、テレビジョン受像機２０は、放送送出システムが主信号の時刻値を送出する周期と同じ周期でクロックの速度を調整する。
【０２８５】
従って、テレビジョン受像機２０は、放送送出システムとの安定的なクロック同期を実現できる、という効果を奏する。
【０２８６】
〔実施形態８〕
以下、更に図１９を参照して、本発明の別の実施形態に係るテレビジョン受像機について説明する。なお、説明の便宜上、実施形態７にて説明した部材と同じ機能を有する部材については、基本的に、同じ符号を付記した上でその説明を省略する。
【０２８７】
（本実施形態に係るテレビジョン受像機２０’の概要）
テレビジョン受像機２０’は、実施形態７に係るテレビジョン受像機２０の特徴と同様の特徴を備えているが、テレビジョン受像機２０と以下の点で異なっている。
【０２８８】
即ち、テレビジョン受像機２０’は、テレビジョン受像機２０と同様に動作する第１のモードと第２のモードとのいずれかに設定可能に構成されている。第２のモードは、テレビジョン受像機２０’が、ＴＭＣＣ信号の時刻値を更新してから次にＴＭＣＣ信号の時刻値を更新するまでの間隔が一定である（即ち、放送送出システムが主信号の時刻値を送出する周期と同じ周期でＴＭＣＣ信号の時刻値を更新する）ことが保障できる場合に設定可能なモードである。
【０２８９】
（テレビジョン受像機２０’の構成）
図１５に示すように、テレビジョン受像機２０’は、信号分離部２０１、ＴＭＣＣ信号復調部２０２（取得処理部）、主信号復調部２０３’（取得処理部）、ＤＥＭＵＸ（デマルチプレクサ）部２０４、クロック再生処理部２０５（参照部、調整部）、記憶部２０６、クロックカウンタ２０７、ＶＣＯ部２０８、映像音声デコーダ部２０９、音声出力部１２０、及び、表示部２１１を備えている。
【０２９０】
信号分離部２０１、ＴＭＣＣ信号復調部２０２、及び、主信号復調部２０３’の各々は、１つまたは複数のＬＳＩ（集積回路）を用いて実現されてもよい。また、信号分離部２０１、ＴＭＣＣ信号復調部２０２、及び、主信号復調部２０３’は、１つのＬＳＩを用いて実現されてもよい。
【０２９１】
主信号復調部２０３’は、フレーム同期信号の検出をトリガとして、フレーム期間毎に実施形態７で説明した処理１〜処理３を行うのでなく、フレーム期間毎に、実施形態７で説明した処理１および処理２に加えて、以下の処理３’を行う。
（処理３’）ＴＭＣＣ信号復調部２０２から「最新のＴＭＣＣ信号の時刻値」を更新した旨の通知を受けたタイミングで、主信号の時刻値を既に受信したかを確認する。主信号の時刻値を未だ受信していない場合には、現在のフレーム期間において主信号の時刻値を受信したタイミングで、クロック速度を調整させるトリガをクロック再生処理部２０５に発行する。主信号の時刻値を既に受信している場合には、クロック速度を調整させるトリガをすぐにクロック再生処理部２０５に発行する。
【０２９２】
（テレビジョン受像機２０’の動作）
次に、第２のモードに設定されているテレビジョン受像機２０’のクロック調整に係る動作について、図１８および図１９を参照しながら説明する。図１９は、第２モードに設定されているテレビジョン受像機２０’の動作を示すフローチャートである。なお、第１のモードに設定されているテレビジョン受像機２０’のクロック調整に係る動作は、テレビジョン受像機２０のクロック調整に係る動作（実施形態７で既に説明済）であるので、当該動作の説明は省略する。
【０２９３】
図１９に示すように、テレビジョン受像機２０’は、ステップＳ６１にてフレーム同期信号を検出する度に、ステップＳ６２からステップＳ７２までの一連の処理を実行する。
【０２９４】
即ち、ステップＳ６１の後、テレビジョン受像機２０’は、ステップＳ６２からステップＳ６３までの一連の処理とステップＳ６４からステップＳ７２までの一連の処理とを並列的に実行する。
【０２９５】
ステップＳ６２およびステップＳ６３の処理は、実施形態７で説明したステップＳ４２およびステップＳ４３の処理と同じである。
【０２９６】
また、ＴＭＣＣ信号復調部２０２がステップＳ６４にて対象フレームのＴＭＣＣ信号の復調を開始すると、テレビジョン受像機２０’は、ステップＳ６５からステップＳ６８までの一連の処理とステップＳ６９からステップＳ７２までの一連の処理とを並列的に実行する。
【０２９７】
ステップＳ６５〜ステップＳ７０の処理は、実施形態７で説明したステップＳ４５〜ステップＳ５０の処理と同じである。
【０２９８】
ステップＳ７０の直後のステップＳ７１では、ＴＭＣＣ信号復調部２０２からの通知を受けた主信号復調部２０３’は、主信号の時刻値を受信済であるか否かを判定する。主信号復調部２０３’は、主信号の時刻値を受信済であると判定した場合にはすぐにステップＳ７２に進み、主信号の時刻値を未受信であると判定した場合には、主信号の時刻値を受信するまでステップＳ７１を継続する（主信号の時刻値を受信した時点でステップＳ７２に進む）。
【０２９９】
ステップＳ７２では、クロック再生処理部２０５は、クロック速度の調整を行う。
【０３００】
具体的には、時刻値比較部２０５１が、フレーム期間Ｐ（対象フレームに対応するフレーム期間）に取得された「最新のＴＭＣＣ信号の時刻値」とフレーム期間Ｐに取得された「最新の主信号の時刻値」とを比較する。時刻値比較部２０５１は、比較した結果に基づいていずれかの時刻値を選択するとともに、クロック速度を調整させるトリガをクロック速度調整部２０５３に供給する。
【０３０１】
そして、クロック速度調整部２０５３は、現在のステップＳ７２で時刻値比較部２０５１によって選択された時刻値と、フレーム期間Ｑ（フレーム期間Ｐの１フレーム期間前のフレーム期間）に取得され、過去のステップＳ７２で選択された時刻値との差を算出する。例えば、クロック速度調整部２０５３は、前者の時刻値である“8400000”と後者の時刻値である“5700000”との差“2700000”を算出する（図１８の（ａ））。
【０３０２】
さらに、クロック速度調整部２０５３は、フレーム期間Ｐにキャプチャ（参照）されたカウンタ値とフレーム期間Ｑにキャプチャ（参照）されたカウンタ値との差を算出する。例えば、クロック速度調整部２０５３は、前者のカウンタ値である“8399500”と後者の時刻値である“5699000”との差“2700500”を算出する（図１８の（ａ））。
【０３０３】
そして、クロック速度調整部２０５３は、実施形態７と同様に、上記２つの時刻値の差の大きさと２つのカウンタ値の差の大きさとを比較し、比較の結果に基づいてクロックの速度を調整する。
【０３０４】
以上、テレビジョン受像機２０’のクロック調整に係る動作について説明した。
【０３０５】
なお、本実施形態においても、フレーム期間Ｑは、フレーム期間ＰのＭフレーム期間前（Ｍ：２以上の任意の整数）のフレーム期間であってもよい。
【０３０６】
（テレビジョン受像機２０’の利点）
以上の説明から以下のことが言える。
【０３０７】
第２のモードに設定されているテレビジョン受像機２０’のＴＭＣＣ信号復調部２０２および主信号復調部２０３’からなる部分（取得部）は、放送波に重畳された主信号およびＴＭＣＣ信号を受信し、フレーム期間毎に各信号から時刻値を取得する。
【０３０８】
上記テレビジョン受像機２０’のカウンタ参照部２０５２（参照部）は、上記主信号の時刻値が受信されるタイミング毎にクロックのカウンタを参照する。
【０３０９】
上記テレビジョン受像機２０’の時刻値比較部２０５１およびクロック速度調整部２０５３からなる部分（調整部）は、上記フレーム期間毎に、上記主信号の時刻値が受信されるタイミングと上記ＴＭＣＣ信号の時刻値が取得（更新）されるタイミングとのうちのいずれか遅い方のタイミングにおいて、該ＴＭＣＣ信号の時刻値、又は、該主信号の時刻値を選択し、該フレーム期間であるフレーム期間Ｐに選択した時刻値と、該フレーム期間Ｐよりも過去のフレーム期間Ｑに選択した時刻値との差の大きさを、フレーム期間Ｐに参照されたカウンタとフレーム期間Ｑに参照されたカウンタとの差の大きさと比較して、比較結果に基づいて上記クロックの速度を調整する。
【０３１０】
上記の構成によれば、第２のモードに設定されているテレビジョン受像機２０’は、主信号の時刻値を受信するタイミングがＴＭＣＣ信号の時刻値をＴＭＣＣ信号から取得するタイミング（ＴＭＣＣ信号の時刻値を更新するタイミング）よりも遅い場合、主信号の時刻値が受信されるタイミング毎にクロックの速度を調整する。即ち、上記テレビジョン受像機２０’は、放送送出システムが主信号の時刻値を送出する周期と同じ周期でクロックの速度を調整する。
【０３１１】
また、上記テレビジョン受像機２０’は、主信号の時刻値を受信するタイミングがＴＭＣＣ信号の時刻値をＴＭＣＣ信号から取得するタイミング（ＴＭＣＣ信号の時刻値を更新するタイミング）よりも早い場合、ＴＭＣＣ信号の時刻値をＴＭＣＣ信号から取得するタイミング毎にクロックの速度を調整する。即ち、上記テレビジョン受像機２０’は、放送送出システムが主信号の時刻値を送出する周期と同じ周期でＴＭＣＣ信号の時刻値を更新する。
【０３１２】
しかも、上記テレビジョン受像機２０’は、テレビジョン受像機２０と異なり、各フレーム期間において、主信号の時刻値を受信するタイミングがＴＭＣＣ信号の時刻値をＴＭＣＣ信号から取得するタイミングよりも早い場合であっても、そのフレーム期間内にクロック速度を調整する。
【０３１３】
従って、上記テレビジョン受像機２０’は、放送送出システムとのより安定的なクロック同期を実現できる、という効果を奏する。
【０３１４】
なお、本実施形態に係るテレビジョン受像機は、上記第２のモードに設定されているテレビジョン受像機２０’と同様の動作を行う受信装置であって上記第１のモードを備えていない受信装置の形態でも実施できる。
【０３１５】
（実施形態７、８の付記事項１）
主信号内の時刻値およびＴＭＣＣ信号内の時刻値はＮＴＰサーバにアクセスすることにより得られる時刻値に限られず、他の種類の時刻値（例えば、カウンタ値であるＰＣＲ（Program Clock Reference））であってもよい。
【０３１６】
（実施形態７、８の付記事項２）
実施形態７、８では、各フレームが１２０個のスロットによって構成されていたが、本実施形態はそのような構成に限定されない。即ち、各フレームのスロット数に特段の制限はなく、例えば、各フレームのスロット数は１〜１２０のうちの任意の数であってもよい。
【０３１７】
（実施形態７、８の付記事項３）
実施形態７、８では、テレビジョン受像機２０、２０’は、起動後に初めてフレーム同期信号を検出した時から始まるフレーム期間（最初のフレーム期間）においては、クロック速度の調整は行わない。
【０３１８】
実施形態７、８では、テレビジョン受像機２０、２０’は、最初のフレーム期間において、主信号の時刻値とＴＭＣＣ信号の時刻値との中から選択した時刻値をクロックのカウンタに設定する。テレビジョン受像機２０、２０’は、該時刻値（即ち、カウンタの値）を、それぞれ、「現フレーム期間に取得した時刻値」および「現フレーム期間に参照（キャプチャ）したカウンタ値」として記憶部２０６に記録する。
【０３１９】
なお、本実施形態は、そのようなテレビジョン受像機２０、２０’には限定されない。即ち、実施形態７、８と異なり、テレビジョン受像機は、最初のフレーム期間を含む各フレーム期間において、クロックのカウンタ値をキャプチャする度に以下の処理を行ってもよい。即ち、テレビジョン受像機は、クロックのカウンタ値を“０”にリセットし、その後、主信号の時刻値とＴＭＣＣ信号の時刻値との中から選択した時刻値を「現フレーム期間に取得した時刻値」として記憶部２０６に記録してもよい。
【０３２０】
この場合、該テレビジョン受像機は、クロック速度の調整を開始するフレーム期間以降の各フレーム期間において、以下の処理を行ってもよい。即ち、該テレビジョン受像機は、主信号の時刻値を受信する度に、「フレーム期間Ｐに取得した時刻値」とフレーム期間Ｐよりも１フレーム期間前の「フレーム期間Ｑに取得した時刻値」との差の大きさを、フレーム期間Ｐにおいて主信号の時刻値を受信した時にキャプチャしたカウンタ値（即ち、フレーム期間Ｑにおけるカウンタ値のキャプチャ直後からフレーム期間Ｐにおいてカウンタ値をキャプチャするまでの期間におけるカウンタ値の増分の大きさ）と比較してもよい。
【０３２１】
（実施形態７、８の付記事項４）
テレビジョン受像機２０、２０’は、「最新のＴＭＣＣ信号の時刻値」を更新する度に、更新後の時刻値を取得するためにＴＭＣＣ信号に対して誤り訂正を行ったか否かを示す情報を記録してもよい。同様に、テレビジョン受像機２０、２０’は、「最新の主信号の時刻値」を更新する度に、更新後の時刻値を取得するために主信号に対して誤り訂正を行ったか否かを示す情報を記録してもよい。
【０３２２】
この場合、時刻値比較部２０５１は、ステップＳ５４（ステップＳ７２）において、「最新のＴＭＣＣ信号の時刻値」と「最新の主信号の時刻値」とが異なるときは、前者の情報と後者の情報とを参照して以下の処理を行ってもよい。即ち、時刻値比較部２０５１は、前者の時刻値を取得するためにＴＭＣＣ信号に対して誤り訂正を行ったか否かを判定するとともに、後者の時刻値を取得するために主信号に対して誤り訂正を行ったか否かを判定してもよい。
【０３２３】
時刻値比較部２０５１は、ステップＳ５４（ステップＳ７２）において、「ＴＭＣＣ信号に対して誤り訂正を行った」と判定した場合であって、且つ、「主信号に対して誤り訂正を行っていない」と判定した場合には「最新の主信号の時刻値」を選択し、「ＴＭＣＣ信号に対して誤り訂正を行っていない」と判定した場合であって、且つ、「主信号に対して誤り訂正を行った」と判定した場合には「最新のＴＭＣＣ信号の時刻値」を選択してもよい。
【０３２４】
また、時刻値比較部２０５１は、ステップＳ５４（ステップＳ７２）において、「ＴＭＣＣ信号に対して誤り訂正を行った」と判定した場合であって、且つ、「主信号に対して誤り訂正を行った」と判定した場合にはデフォルトの時刻値を選択し、「ＴＭＣＣ信号に対して誤り訂正を行っていない」と判定した場合であって、且つ、「主信号に対して誤り訂正を行っていない」と判定した場合には「最新のＴＭＣＣ信号の時刻値」を選択してもよい。
【０３２５】
なお、デフォルトの時刻値は、「最新の主信号の時刻値」および「最新のＴＭＣＣ信号の時刻値」のいずれであってもよい。
【０３２６】
（実施形態７、８の付記事項５）
本実施形態に係る受信装置は、これまでに説明したテレビジョン受像機に限られず、テレビ放送をリアルタイム再生する機能を備え、これまでに説明したテレビジョン受像機と同様の特徴を備えた各種機器（フィーチャーフォン、スマートフォン、パーソナルコンピュータ等）の形態でも実施できる。
【０３２７】
〔実施形態９：ソフトウェアによる実現例〕
テレビジョン受像機２０（２０’）のＴＭＣＣ信号復調部２０２、主信号復調部２０３（２０３’）、及び、クロック再生処理部２０５は、集積回路（ＩＣチップ）等に形成された論理回路（ハードウェア）によって実現してもよいし、ＣＰＵ（Central Processing Unit）を用いてソフトウェアによって実現してもよい。
【０３２８】
後者の場合、テレビジョン受像機２０（２０’）は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３２９】
〔まとめ〕
本発明の態様１２に係る受信装置（例えば、テレビジョン受像機２０、２０’、付記事項４の各種機器）は、放送波に重畳された主信号およびＴＭＣＣ信号を受信し、フレーム期間毎に各信号から時刻値（例えば、ＮＴＰタイムスタンプ）を取得する取得部（例えば、ＴＭＣＣ信号復調部２０２および主信号復調部２０３（２０３’）からなる部分）と、上記主信号の時刻値が受信される時点毎にクロックのカウンタを参照する参照部（例えば、カウンタ参照部２０５２）と、上記時点毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｑの上記時点直後からフレーム期間Ｐの上記時点までの期間における上記カウンタの増分の大きさと比較して、上記クロックの速度を調整する調整部（例えば、時刻値比較部２０５１およびクロック速度調整部２０５３からなる部分）と、を備えている。
【０３３０】
上記の構成によれば、上記態様１２に係る受信装置は、主信号の時刻値が受信されるタイミング毎にクロックの速度を調整する。即ち、上記態様１２に係る受信装置は、放送送出システムが主信号の時刻値を送出する周期と同じ周期でクロックの速度を調整する。
【０３３１】
従って、上記態様１２に係る受信装置は、放送送出システムとの安定的なクロック同期を実現できる、という効果を奏する。
【０３３２】
なお、本発明の態様１３に係る受信装置では、上記態様１２において、上記主信号の上記時刻値、及び、上記ＴＭＣＣ信号の上記時刻値は、ＮＴＰサーバにアクセスすることにより得られる時刻値であってもよい。
【０３３３】
本発明の態様１４に係る受信装置では、上記態様１２または１３において、上記調整部は、直近で取得されたＴＭＣＣ信号の時刻値と、該時刻値と同じフレーム期間Ｐに取得された主信号の時刻値とが異なる場合には、該ＴＭＣＣ信号の時刻値を選択してもよい。
【０３３４】
ここで、ＴＭＣＣ信号はπ／２シフトＢＰＳＫ変調方式で変調され、主信号は、π／２シフトＢＰＳＫ変調方式、ＱＰＳＫ変調方式、８ＰＳＫ変調方式、１６ＡＰＳＫ変調方式、又は、３２ＡＰＳＫ変調方式で変調される。主信号が最大伝送レートで伝送される場合には、主信号は３２ＡＰＳＫ変調方式で変調される。
【０３３５】
上記の構成によれば、放送送出システムが上記主信号を最大伝送レートで送信している場合において、上記態様１４に係る受信装置は、フレーム期間Ｐに取得されたＴＭＣＣ信号の時刻値とフレーム期間Ｐに取得された主信号の時刻値とが異なるときは、雑音に対する耐性が上記主信号よりも高い上記ＴＭＣＣ信号の時刻値に基づいて、クロック速度を調整する。即ち、上記態様１４に係る受信装置は、フレーム期間Ｐに取得されたＴＭＣＣ信号の時刻値とフレーム期間Ｐに取得された主信号の時刻値とが異なる場合において正しい時刻値である可能性がより高いＴＭＣＣ信号の時刻値に基づいて、クロック速度を調整する。
【０３３６】
従って、上記態様１４に係る受信装置は、雑音に起因するジッタの影響を少なくしながらクロックを再生できる、という更なる効果を奏する。
【０３３７】
また、本発明は、上記態様１２から態様１４のいずれの態様の受信装置の各部（取得部、参照部、及び、調整部）を備えている本発明の態様１５に係るテレビジョン受像機（例えば、テレビジョン受像機２０、２０’）としても実現できる。
【０３３８】
本発明の態様１６に係る信号処理方法は、受信装置による信号処理方法であって、放送波に重畳された主信号およびＴＭＣＣ信号を受信し、フレーム期間毎に各信号から時刻値を取得するステップと、上記主信号の時刻値が受信される時点毎にクロックのカウンタを参照する参照ステップと、上記時点毎に、直近で取得されたＴＭＣＣ信号の時刻値、及び、該時刻値と同じフレーム期間Ｐに取得された主信号の時刻値の中から選択した時刻値と、フレーム期間Ｐよりも過去のフレーム期間Ｑに取得され、過去に選択した時刻値との差の大きさを、フレーム期間Ｑの上記時点直後からフレーム期間Ｐの上記時点までの期間における上記カウンタの増分の大きさと比較して、上記クロックの速度を調整する調整ステップと、を含んでいる。
【０３３９】
上記の構成によれば、上記態様１６に係る信号処理方法は、上記態様１２に係る受信装置と同様の作用効果を奏する。
【０３４０】
なお、コンピュータを上記態様１２に係る受信装置が備える上記取得部、上記参照部、及び、上記調整部として機能させることにより該受信装置をコンピュータにて実現させるプログラム、並びに、それを記録したコンピュータ読み取り可能な記録媒体も、本発明の範疇に入る。
【産業上の利用可能性】
【０３４１】
本発明は、次世代の超高精細度テレビジョン放送の分野において好適に適用することができる。
【符号の説明】
【０３４２】
１０、１０’        テレビジョン受像機（受信装置）
１０ａ              中継装置（受信装置）
１０１                信号分離部（受信処理部）
１０２                ＴＭＣＣ信号復調部（復調処理部）
１０３                主信号復調部（復調処理部）
１０４、１０４’      時刻情報置換処理部（置換処理部、出力処理部）
１０４ａ、１０４ａ’  時刻情報出力処理部（出力処理部）
１０８                クロック速度制御部（再生処理部）
２０、２０’        テレビジョン受像機（受信装置）
２０１                信号分離部
２０２                ＴＭＣＣ信号復調部（取得部）
２０３、２０３’      主信号復調部（取得部）
２０４                ＤＥＭＵＸ部
２０５                クロック再生処理部（参照部、調整部）
２０５１                時刻値比較部（調整部）
２０５２                カウンタ参照部（参照部）
２０５３                クロック速度調整部（調整部）
【図１】
2016080043.tif 000003
【図２】
2016080043.tif 000004
【図３】
2016080043.tif 000005
【図４】
2016080043.tif 000006
【図５】
2016080043.tif 000007
【図６】
2016080043.tif 000008
【図７】
2016080043.tif 000009
【図８】
2016080043.tif 000010
【図９】
2016080043.tif 000011
【図１０】
2016080043.tif 000012
【図１１】
2016080043.tif 000013
【図１２】
2016080043.tif 000014
【図１３】
2016080043.tif 000015
【図１４】
2016080043.tif 000016
【図１５】
2016080043.tif 000017
【図１６】
2016080043.tif 000018
【図１７】
2016080043.tif 000019
【図１８】
2016080043.tif 000020
【図１９】
2016080043.tif 000021
【国際調査報告】
2016080043.tif 000022
2016080043.tif 000023
2016080043.tif 000024
2016080043.tif 000025